(57)【特許請求の範囲】
【請求項１】
プリントヘッドを通過するようテープを搬送して、テープ上の物質を印刷対象基板上に転送する転写印刷装置のテープ駆動機構であって、
少なくとも一方がステッパモータである２つのモータと、
上記２つのモータの一方によりそれぞれが駆動されるテープの両スプールが装着される、２つのテープ・スプール支持部と、
上記２つのモータの起動を制御して、各テープ・スプール支持部およびそこに装着されたテープ・スプールを回転させるコントローラと、を備えてなるテープ駆動機構であって、
上記コントローラは、さらに、２つのスプール間に延在するテープのテンションを許容できるレベルに維持するべく、上記ステッパモータのステップ数を調整することにより当該２つのスプール間に延在するテープに対して、加えるべき、または差し引くべきテープの修正量を決定するものであり、
２つのテープ・スプール支持部に装着された２つのスプール、および当該２つのスプール間をその間に配置されたプリントヘッドを通過して延在するテープの存在下において、
上記コントローラは、少なくとも一方のモータを起動して、スプールを回転させ、テープをプリントヘッドを通過する搬送方向へ進めるものであり、
さらに、当該コントローラは、少なくとも一方のモータを起動して、少なくとも一方のスプールを回転させて、
それにより、
スプール間でのテープのテンションを許容レベルに維持するべく、スプール間に延在するテープに対して、上記テープ修正量を加えて、スプール間でのテープのテンションを下げ、あるいは上記テープ修正量を差し引いて、スプール間でのテープのテンションを上げる、テープ駆動機構。
【請求項２】
上記２つのモータの両方がスッテパモータである、請求項１記載のテープ駆動機構。
【請求項３】
転写印刷装置のテープ駆動機構であって、
２つのステッパモータと、
上記２つのモータの一方によりそれぞれが駆動されるテープの両スプールが装着される、２つのテープ・スプール支持部と、
上記２つのモータの起動を制御して、各テープ・スプール支持部およびそこに装着されたテープ・スプールを回転させるコントローラと、
２つのスプール間に延在するテープに生じるテンションを示すパラメータをモニタリングするモニタと、を備えてなるテープ駆動機構であって、
上記コントローラは、さらに、２つのスプール間に延在するテープのテンションを許容できるレベルに維持するべく、上記ステッパモータのステップ数を調整することにより当該２つのスプール間に延在するテープに対して、加えるべき、または差し引くべきテープの修正量を決定するものであり、当該決定は、上記モニタリングされているテンションを示すパラメータの少なくとも一部分に基づいており、
２つのテープ・スプール支持部に装着された２つのスプール、および当該２つのスプール間をその間に配置されたプリントヘッドを通過して延在するテープの存在下において、
上記コントローラは、上記２つのモータを起動して、両スプールを回転させ、テープをプリントヘッドを通過する搬送方向へ進めるものであり、
さらに当該コントローラは、少なくとも一方のモータを起動して、スプールを回転させて、
それにより、スプール間でのテープのテンションを許容レベルに維持するべく、スプール間に延在するテープに対して、上記テープ修正量を加えて、スプール間でのテープのテンションを下げ、あるいは上記テープ修正量を差し引いて、スプール間でのテープのテンションを上げる、テープ駆動機構。
【請求項４】
上記コントローラが、両方のモータを起動するもので、
一方のモータを回転させてスプールを回転させて、上記搬送方向へテープを供給し、
他方のモータを回転させてスプールを回転させて、搬送のためにテープを巻き上げる、請求項３記載のテープ駆動機構。
【請求項５】
テープ上の物質を印刷対象基板上に転送するプリントヘッドを通過するよう、テープを移動させるテープ駆動機構を備えた転写印刷装置であって、
上記テープ駆動機構は、
２つのステッパモータと、
上記２つのステッパモータの一方にそれぞれが機能的に接続されていて、プリントヘッドの近傍を通過するテープの両スプールが装着される、２つのテープ・スプール支持部と、
上記２つのステッパモータそれぞれの起動を制御して、各テープ・スプールを１またはそれ以上のステップ角だけ回転させ、または、各テープ・スプールを回転しないように保持するコントローラと、
２つのスプール間に延在するテープに生じるテンションを示すパラメータをモニタリングするモニタと、を備え、
上記コントローラは、両方のステッパモータを起動して、一方のステッパモータを１またはそれ以上のステップ角だけ回転方向に回転させて、各テープ・スプールをテープ搬送方向に回転させて、テープをテープ搬送方向に供給し、および、他方のステッパモータを１またはそれ以上のステップ角だけ回転方向に回転させて、各テープ・スプールをテープ搬送方向に回転させて、搬送のためにテープを巻き上げ、それにより、テープを両スプール間でプリントヘッドを通過するよう上記テープ搬送方向に所定距離だけ移動させ、
さらに、上記コントローラは、モニタリングされているパラメータが、テープのテンションが許容レベルにはないことを示す場合に、それに応答してステッパモータの挙動を制御して、上記ステッパモータのステップ数を調整することにより、両スプール間に延在するテープに対して、ある量のテープを加えて当該テープのテンションを下げ、または、上記ステッパモータのステップ数を調整することにより、両スプール間に延在するテープに対して、ある量のテープを差し引いて当該テープのテンションを上げ、これによりテープのテンションを修正する、転写印刷装置。
【発明の詳細な説明】
【発明の詳細な説明】
【０００１】
（技術分野）
本発明は、テープドライブおよび印刷装置、並びにその操作方法に関する。さらに詳しくは、キャリアに保持されたインクを使用する転写プリンタにおいて利用される、そのような装置および方法に関する。
【０００２】
（背景技術）
転写プリンタにおいては、通常はプリンタリボンと呼ばれていて、その片面にインクを保持するテープがプリンタに装着される。プリントヘッドは、リボンの他方の面に接触して、インクをリボンから目標とする基板（例えば、紙や、可撓性のあるフィルム）へと転写する。工業上の印刷においては、熱転写ラベルプリンタおよび熱転写コーダーを使用して、可撓性のあるフィルムやカードから製造される包装材料等の基板上へ直接印刷を行なう。
【０００３】
インクリボンは、通常は、コアの周囲に巻き付けたロール形態でエンドユーザに提供される。エンドユーザは、コアをテープスプール上に押し付けて装着し、自由端を引っ張って、一定長さのリボンを引き出し、当該自由端を他方のテープスプールに係合させる。一般的に、スプールは、簡単に印刷装置に装着することができるカセット上に設けられている。印刷装置は、２つのスプールを駆動する搬送手段を含んでいて、一方のスプールからリボンを解いて、他方のスプールへと巻上げる。印刷装置は、プリントヘッドを通過する所定経路に沿って、２つのスプール間でリボンを搬送する。
【０００４】
上述のタイプの知られたプリンタは、リボンスプールをどのように駆動するかについての問題に対する広範囲に渡る異なるアプローチに依拠している。幾つかのプリンタはステッパモータに依拠しており、また別のプリンタは、スプールを直接または間接に駆動する直流モータに依拠している。一般的に知られた構成においては、リボンを巻上げるスプール（巻上スプール）のみが駆動され、リボンが引き出されるスプール（供給スプール）における“スリップクラッチ”を利用して抵抗力を付与し、これにより、印刷工程およびリボンの巻き工程においてリボンにテンションが作用することを確保し、また、リボンがリセット時にオーバーランすることを防止している。プリンタを適正に作動させるためには、適切なテンションを維持することが必須の要求である。
【０００５】
リボン・ロールは、プリンタによって徐々に使用されるので、供給スプールの最初の外径は減少していき、巻上スプールの最初の外径は増大していく。本質的に一定の抵抗トルクを与えるスリップクラッチを利用した構成においては、リボンのテンションは、スプールの直径に比例して変動する。大きな供給スプールを利用して、リボン・ロールの取換え回数を最小限に抑えることが望ましいが、そのことは、とりわけ、高速なリボン搬送が要求される高速度装置においては、大きな問題である。
【０００６】
リボン・テンションが動的に変動すると、スリップクラッチにより与えられるトルクに対する許容誤差は厳しくなる。スリップクラッチにおける時間経過による磨耗は、当該クラッチにおける抵抗力を変化させるので、そのような許容誤差を維持するのは困難である。クラッチ力が大き過ぎると、新しい供給ロールが提供されてから同ロールが空になるまでの全ロール直径領域に渡って、リボンを駆動するリボン搬送システムの力が不適切となる。クラッチ力が小さ過ぎて、リボンが緩むと、供給スプールのオーバーランが発生する。これらの制約のため、一般的なプリンタ構成においては、リボン搬送システムの加速度、減速度、および最大速度に関する性能において、妥協が見られる。結果として、プリンタの全体的な性能が妥協的である。
【０００７】
従来の印刷装置の代表的な例は、米国特許第４、０００、８０４号明細書、同第４、２９４、５５２号明細書、同第４、４７９、０８１号明細書、同第４、７８８、５５８号明細書、および英国特許第２３１０４０５号明細書に記載されている。
【０００８】
米国特許第４、０００、８０４号明細書に記載されたシステムは、供給スプールから巻上スプールへとリボンを搬送するものであって、一対の電子モータを備えている。各モータは、それぞれ、対応するスプールシャフトに接続されている。これらのモータは、直流モータである。巻上スプールに接続されたモータは、定電流発電機から電流を供給されて、ほぼ一定のトルクでリボンを巻上げる。供給スプールに接続されたモータは、定電圧発電機から電圧を供給されて、リボン搬送の間にリボンにテンションを付与する。リボンが巻上スプールに完全に巻上げられると、切換えデバイスが２つのスプールの機能を逆転させる。以上の構成においては、リボン搬送の間における供給スプールおよび巻上スプールの直径の変化は考慮されておらず、したがって、リボンを供給スプールから巻上スプールへ完全に搬送する過程において、リボン・テンションが変動する。
【０００９】
米国特許第４、２９４、５５２号明細書には、２つのスプールがそれぞれステッパモータで駆動される双方向リボン・ドライブが開示されている。巻上スプールはステッパモータで駆動されるが、供給スプールのモータには低レベルのドラッグ電流（drag current）が供給されて、リボンのテンションを維持する。各モータは、スプール直径の変動を補償するように積極的に制御されてはいない。
【００１０】
米国特許第４、４７９、０８１号明細書に開示された構成においては、２つのステッパモータが提供されていて、一方は巻上スプールを駆動し、他方は供給スプールに連結されている。フィードバック信号が供給スプールの角速度を指示し、ファンクション・テーブルが巻上スプールに供給すべきステップ・パルスの速度についての情報を与える。巻上スプールを駆動するステッパモータによって、リボンが駆動される。他方のモータは、フィードバック・トランスデューサとして機能し、スプール直径の変化を考慮して、巻上スプールを駆動するモータが適切に制御されることを可能とし、リボン速度を一定に保つ。この構成によれば、例えば、安定したリボン搬送速度を達成すべく２つのスプール間に配置されるキャプスタン・ドライブは不要となるが、リボン搬送のためのトルクを提供するために一方のモータのみが駆動される。装置がプッシュ-プル・モードで作動し得るとの示唆はない。すなわち、巻上スプールを駆動するモータがリボンを引っ張るように作動し、供給スプールを駆動するモータが、関連するスプールをテープ搬送を助ける方向に押し出すこと、についての示唆はない。
【００１１】
米国特許第４、７８８、５５８号明細書に開示されたリボン駆動機構は、２つの直流モータを備えていて、一方が巻上スプールを駆動し、他方が供給スプールを駆動する。リボンは、ステッパモータで駆動される別の駆動ローラによって搬送される。供給スプールの直流モータは、ブレーキとして機能するものであって、テープ搬送を助けるものではない。すなわち、この構成は、従来からの構成であって、キャプスタン・ローラを使用してリボン搬送速度が制御される。そのような構成においては、既に説明したように、リボン・スプールの大きさに関連するフィードバック情報を与えて、所望のリボン・テンションを維持することは、比較的簡単なことである。しかしながら、システム全体が複雑となる。
【００１２】
英国特許第２３１０４０５号明細書に開示された双方向のプリンタリボン駆動機構においては、ステッパモータが巻上スプールを駆動する。リボン搬送の正確な制御は、アイドルローラを設けることで達成される。アイドルローラは、リボンと当接しながら回転し、したがって、リボン搬送速度を直接計測することが可能である。そのようなアイドルローラおよび関連する構成要素を設けると、システム全体が複雑化し、コストが増大する。
【００１３】
知られているいずれの構成においても、工業上使用される高速転写印刷システムにおける要求をうまく処理することはできていない。これらいずれの構成においても、２つの方式のうちの一方式で作動する。すなわち、連続的な印刷、または間欠的な印刷である。いずれの作動方式においても、装置は、一連の印刷サイクルを繰返し行なう。各印刷サイクルは、インクが基板へと転写される印刷段階と、装置が次の印刷サイクルに向けた準備を行う非印刷段階と、を含む。
【００１４】
連続的な印刷では、印刷段階において、静止したプリンタがプリンタリボンに接触させられる。このリボンの反対側の面は、像を印刷すべき基板に接触させられる。（連続的な印刷に関連して、“静止”という語は、プリントヘッドがリボンに当接したり離れたりするための移動は行なうが、リボン経路に沿ってリボンが進む方向には相対的に移動しない、ということを意味する。）  基板およびプリンタリボンの両方がプリントヘッドを通過して搬送されるが、一般的に、両者が同一速度で搬送される必要はない。一般的には、プリントヘッドを通過して搬送された基板の比較的短い長さ部分に対してのみ印刷は行なわれる。したがって、リボンの浪費を避けるために、印刷操作と印刷操作との間において、リボンの搬送方向を逆転することが必要となる。このように、基板が一定速度で搬送される一般の印刷工程においては、プリントヘッドは、印刷すべき基板領域に隣接した位置にあるときにのみ突出してリボンと接触する。プリントヘッドが突出した直後に、リボンは、例えば基板の搬送速度にまで加速されなければならない。その後、リボン速度は、印刷段階の間、基板と同じ一定速度に維持されなければならない。印刷段階が完了した後、リボンを減速し、逆方向に駆動して、リボンの使用済領域がプリントヘッドの上流側に位置するようにしなければならない。印刷を行なうべき基板の次の領域が近づくと、リボンは、通常の印刷速度に戻るまで加速されなければならない。そして、プリントヘッドが印刷位置にまで進んだとき、前に使用された領域に隣接するリボンの未使用部分がプリントヘッドと基板との間に位置することとなるように、リボンの位置決めが行なわれなければならない。このように、リボンを両方向に、非常に迅速に加速および減速する必要がある。また、リボン駆動システムは、前に使用済となったリボン部分がプリントヘッドと基板との間に位置したときには、印刷操作が行なわれることを避けるために、リボンを正確に位置決めできなければならない。
【００１５】
間欠的な印刷においては、基板は、ステップ方式でプリントヘッドを通過して前進する。各サイクルの印刷段階においては、基板およびリボンが静止している（リボンについては、一般的には静止しているが、必ずしも静止している必要はない）。基板、リボンおよびプリントヘッド間の相対移動は、プリントヘッドを基板およびリボンに対して相対的に移動させることで達成される。連続するサイクルの印刷段階と印刷段階との間において、基板が前進して、その印刷すべき次の領域がプリントヘッドの下方に位置する。また、リボンが前進して、その未使用部分がプリントヘッドと基板との間に位置する。プリントヘッドが前進して印刷操作を行なうとき、再度、リボンを迅速かつ正確に搬送して、基板とプリントヘッドとの間に未使用のリボンを常に位置させることが必要となる。
【００１６】
リボンの加速、減速、速度、および位置決め精度に関して、高速転写プリンタにおける問題は、知られている駆動機構では、満足できる性能を高い信頼性をもって提供することが困難であるということである。同様の制約は、高速プリンタ以外の適用例においても存在する。したがって、本発明の目的は、高速生産ラインにおける要求に適合できる方法でプリンタリボンを搬送できるテープ駆動機構を提供することである。勿論、本発明のテープ駆動機構は、同様の高性能が要求される他の適用例にも使用可能である。
【００１７】
（発明の開示）
本発明のテープ駆動機構は、少なくとも一方がステッパモータである２つのモータと、それぞれのモータで駆動されるテープ・スプールが装着される２つのテープ・スプール支持部と、スプール支持部に装着された２つのスプール間で、テープが少なくとも一方向に搬送されるように、上記モータの起動を制御するコントローラと、を備えてなる。コントローラは、両方のモータを起動させて、テープのスプールをテープ搬送方向へ駆動する。
【００１８】
本発明のテープ駆動機構は、２つのテープ・スプールを駆動して、テープ搬送の間にテープを駆動する両方のモータに依拠している。つまり、２つのモータは、プッシュ-プル方式で作動する。これにより、非常に高速な加速および減速が可能となる。搬送されるテープのテンションは、駆動モータを制御して決定されるので、巻上スプールと供給スプールとの間でテープと接触する必要があるいかなる要素にも依存しない。このように、全体として非常にシンプルな機械アッセンブリを達成することができる。両方のモータを用いてテープ搬送を行なうので、比較的小さくて、従って低コストでコンパクトなモータを使用することが可能となる。
【００１９】
各スプールの実際の回転方向は、スプールへのテープの巻付方向に依存する。もし、両方のスプールが同じ方向に巻かれていれば、両スプールは、同一方向に回転してテープを搬送する。もし、両方のスプールが互いに逆方向に巻かれていれば、両スプールは、逆方向に回転してテープを搬送する。いずれの構成においても、両方のスプールがテープ搬送方向に回転する。
【００２０】
コントローラは、スプール間でテープを両方向に搬送するようモータを制御するように構成されていることが好ましい。両方のモータがステッパモータであってもよい。コントローラは、スプール支持部に装着されたスプール間を搬送されるテープのテンションをモニタリングして、モニタリングされたテンションを所定の限界値と限界値との間に維持するようにモータを制御してもよい。少なくとも一方のモータに供給される電力をモニタリングして、モニタリングされた電力からテープ・テンションの推定値を計算する手段が設けられていることが好ましい。例えば、２つのステッパモータが設けられている場合、電源からの電力は、ステッパモータの駆動手段に送られる。この駆動手段は、ステッパモータの巻線に連続的に電流を供給するものである。電源からの電力は、モータおよび（または）モータ駆動手段に供給される電圧および（または）電流をモニタリングする手段によってモニタリングされる。モータの巻線に供給される電流および電圧は、使用されているモータ駆動手段のタイプや特性とは無関係に、モータに作用する負荷に依存して変動する。このような理由から、ほぼ一定の電圧をステッパモータ駆動手段に供給する調整された電源を設けることが好ましく、また、電源からステッパモータ駆動手段に供給される電流の大きさをモニタリングすることが好ましい。
【００２１】
各ステッパモータは、それぞれのモータ駆動回路によって起動されることが好ましい。各モータ駆動回路には、それぞれ、低抵抗レジスタが直列接続されていて、これらの低抵抗レジスタを超えることで増加する電圧信号をモニタリングすることで、モータへ供給される電流がモニタリングされる。電圧信号は、デジタル信号に変換されて、マイクロコントローラに供給される。マイクロコントローラは、モータ駆動回路に供給される一連のモータ制御パルスの発生を制御する。所定時間に渡って電流がモニタリングされるが、モニタリングは、テープ搬送速度がほぼ一定である時間帯においてのみ行なわれることが好ましい。上記モニタリングが行なわれる所定時間は、所定のテープ搬送長さに対応している。
【００２２】
各ステッパモータに対して、テープ負荷がない状態での一連のステップ速度のそれぞれにおける消費電力を表すキャリブレーション・データを記録してもよい。また、テープ・テンションの測定値は、モータのステップ速度の測定値、当該ステップ速度に関連するキャリブレーション・データ、およびモータの消費電力を参照して計算してもよい。
【００２３】
テープスプールの外径を直接モニタリングして、モニタリングした外径を考慮してテープ・テンションを計算してもよい。相互に近い複数の直径のそれぞれに対して、外径をモニタリングしてもよく、それによって、スプールの偏心を検出することができ、したがって、スプールの周囲長を正確に計算できる。
【００２４】
テンションｔの測定値は、２つのモータに供給される電力の測定値、スプール半径の測定値、および２つのモータのステップ速度に関連するキャリブレーション係数から計算されてもよい。キャリブレーション・スケーリング係数を使用して、計算されたテンションをより解釈可能な値に変換してもよい。好ましくは、コントローラが制御アルゴリズムを実行して、スプール間に延在するテープ部分に加えられ、あるいは除去されるべきテープ長さを計算し、ｔの値を所定の限界値と限界値との間に維持する。また、これによって、ステッパモータが制御されて、計算されたテープ長さを、スプール間に延在するテープに加え、あるいは除去する。
代わりの構成として、２つのモータに供給される電流の差を測定して、当該差の値に基いて、モータのステッピング動作を制御してもよい。電流差の測定値は、単純に一方の電流値から他方の電流値を引算した結果であってもよいし、測定された２つの電流値の比に関連するものであってもよい。上記差の値が一連の各許容帯域内（各帯域は、上限値と下限値で規定される）にある間、モータ速度が一定に維持されてもよい。そして、許容帯域は、スプール外径の比率に基いて調整されてもよい。
制御手段が制御アルゴリズムを実行して、スプール間に延在するテープ部分に対して加えられ、あるいは除去されるべきテープ長さを計算して、差の測定値を上限値と下限値との間に維持してもよい。また、これによりステッパモータが制御されて、計算された長さのテープ部分が、スプール間に延在するテープ部分に対して加えられ、あるいは除去される。
【００２５】
テープ幅に対応する値が入力されてもよく、上記所定の限界値がこのテープ幅を考慮して調整されてもよい。例えば、制御アルゴリズムがゲイン定数を含んでいて、このゲイン定数を調整することでテープ幅が考慮されてもよい。制御アルゴリズムは、周期的に作動してもよく、その場合には、１つのサイクルにおいては、加えられるべき、または除去されるべきテープ長さが計算され、次のサイクルにおいては、モータが制御されてスプール間のテープ量が調節される。このアプローチは、受け入れられる。その理由は、スプール間のテープ長さは、テンションに無関係な第１の近似値であるが、テープを引き伸ばすということは、スプール間に延在するテープ部分にテープが加えられたとき、当該部分は、テンションがゼロになるまで引伸力を弱めることで、吸収されるということを意味するからである。ある一定のテンション下において、細いテープは、太いテープの場合よりも引き伸ばされる。したがって、スプール間にテープを加えたり、除去したりすることによるテンションの変化は、太いテープの場合よりも、細いテープの場合の方が小さい。
【００２６】
テンションをモニタリングすると、テンションの測定値が許容出来る下限値を下回った場合に、不良を表示する出力を発生して、例えば、テープの破損を知らせることができる。
【００２７】
光学的検出システムを使用して、スプール直径をモニタリングしてもよい。光学検出システムは、その間に光学経路が形成されるように配置された少なくとも１つの光エミッタおよび少なくとも１つの光検出器と、搬送機構と、コントローローラと、を備える。搬送機構は、上記光学的検出システムの少なくとも一部を支持していて、測定されるべきスプールが位置している空間を掃くように上記光学経路が移動することとなるように駆動される。コントローラは、上記搬送機構を制御するものであって、搬送機構の各位置を検出する。搬送機構の各位置において検出器の出力が変化して、光学経路がスプールで遮断された状態と、光学経路がスプールで遮断されてはいない状態と、の２つの状態の間の変遷を示す。そして、検出器の出力が変化することで検出された搬送機構位置から、スプール直径を計算する。
【００２８】
エミッタおよび検出器の一方が搬送機構上に設けられていて、他方が、テープ・スプールに対して相対的に固定された位置に配置されていてもよい。代わりの構成として、エミッタおよび検出器の両方を搬送機構上に設け、エミッタと検出器との間に構成されるべき光学経路をミラーによって形成してもよい。このミラーは、搬送機構から離れてスプールの側方に配置されていて、エミッタからの光を反射させて検出器に返すように構成されている。第１位置にある各スプールについてスプール直径を計測し、その後、一方のスプールを例えば３０°回転させて、再度、各スプールの直径を測定し、これを繰り返してもよい。これにより、スプールの偏心および外周長を正確に評価することができる。
【００２９】
本発明は、上記搬送機構が転写リボンプリンタのプリントヘッド搬送機構である場合に特に、有効に適用可能である。そのような装置における各スプールの比率は、直径計測手段の比率に基いて計算できる。比率計算手段は、第１ステッパモータが巻上スプールを駆動できるようにするとともに、第２ステッパモータが供給スプールを駆動できないようにして、第２ステッパモータをジェネレータ手段として機能させる手段と、第２ステッパモータから同モータのモータ速度に比例したパルスレートのパルスを発生させる手段と、発生したパルスを検出して、第２ステッパモータの回転の測定値を生じさせる手段と、第１ステッパモータのステッピングをモニタリングして、第１ステッパモータの回転の測定値を生じさせる手段と、両ステッパモータの回転の測定値を比較して、両スプールの外径の比率を計算する手段と、を含んでいる。
【００３０】
テープ駆動機構の多数の操作サイクル（その間、テープはスプール間を搬送される。）の後で、少なくとも一方のスプールの最新の直径が、最初にモニタリングした両スプールの直径比率、２つのスプール直径における電流比率、および少なくとも一方のスプールの最初にモニタリングした直径、から計算されてもよい。
【００３１】
プリンタに隣接する所定経路に沿って搬送される基板に、インクをプリンタリボンから転写する転写プリンタに対して、本発明のテープ駆動機構が組み込まれた場合には、上記テープ駆動機構は、第１および第２のリボン・スプール間でリボンを搬送するプリンタリボン駆動機構として作用する。そして、プリンタは、さらに、プリントヘッド、プリントヘッド駆動機構、およびコントローラを備える。プリントヘッドは、リボンの片面と接触して、その反対面を、所定経路上にある基板に対して押し付けるように構成されている。プリントヘッド駆動機構は、プリントヘッドを、所定の基板搬送経路とほぼ平行に延在するトラックに沿って搬送するとともに、プリントヘッドを、リボンと接触するように、あるいはリボンから離れるように移動させる。コントローラは、プリンタリボン駆動機構およびプリントヘッド駆動機構を制御する。コントローラは、印刷の間、プリントヘッドを静止状態でリボンと接触させて、リボンを所定の基板搬送経路に対して相対的に搬送するようにプログラムされるか、あるいは、プリントヘッドが、リボンおよび所定の基板搬送経路に対して相対的に搬送されるとともに、印刷の間、リボンと接触するように移動されることとなるようにプログラムされる。
【００３２】
駆動機構が双方向のもので、リボンが第１スプールから第２スプールへと、または、第２スプールから第１スプールへと搬送されてもよい。
【００３３】
トラックに沿って移動可能なプリントヘッド・キャリッジ上にプリントヘッドが設けられている場合には、交換可能な第１および第２のキャリッジが設けられていてもよい。両キャリッジは、以下を実現できるような形状とされている。すなわち、一方のキャリッジがトラック上の所定位置にある場合には、基板搬送経路に沿って一の方向に移動する基板に対する印刷が可能となるように、プリントヘッドは配置される。また、他方のキャリッジがトラック上の所定位置にある場合には、基板搬送経路に沿って他の方向に移動する基板に対する印刷が可能となるように、プリントヘッドは配置される。
【００３４】
ハウジング、プリントヘッド、第１駆動機構、ローラ、第２駆動機構、およびコントローラを備える印刷装置に対して、テープ駆動機構が組み込まれてもよい。プリントヘッドは、プリントヘッド支持アッセンブリ上に設けられていて、当該アッセンブリは、リボンがテープ駆動機構によって駆動されるプリンタリボン経路と平行な方向に、ハウジングに対して相対移動可能である。第１駆動機構は、ハウジングに対して相対的に、プリントヘッド支持部を移動させる。ローラは、使用時に、印刷されるべき基板を、リボン経路の側方において、プリントヘッドから離れた状態に支持する。第２駆動機構は、プリントヘッドの一部がローラに圧接し、あるいは、基板またはリボンがプリントヘッドとローラとの間に位置するまで、プリントヘッド支持アッセンブリに対して相対的に、プリントヘッドを移動させる。コントローラは、第１駆動機構を調節して、ローラの回転軸に関するプリントヘッドの角度位置を調節する。
【００３５】
プリントヘッドは、プリントヘッド支持アッセンブリ上に設けられることが好ましい。当該アッセンブリは、リボンがテープ駆動機構によって駆動されるプリンタリボン経路と平行な方向に、ハウジングに対して相対移動可能である。第１駆動機構は、ハウジングに対して相対的に、プリントヘッド支持部を移動させる。ピールオフ・ローラが、プリントヘッド支持アッセンブリ上に設けられていて、プリントヘッドとともに上記平行方向に移動可能である。第２駆動機構は、プリンタリボン経路に隣接する印刷準備位置と、プリントヘッドが経路上のプリンタリボンに当接する印刷位置と、の間において、プリントヘッド支持アッセンブリおよびピールオフ・ローラに対して相対的に、プリントヘッドを移動させる。カム機構が設けられていて、当該カム機構は、プリントヘッド支持アッセンブリが所定位置まで移動した結果として係合し、かつ係合したとき、当該係合に起因して、プリントヘッドは、印刷準備位置から遠ざかって、ピールローラおよびプリンタリボン経路から離れた位置へ移動する。
【００３６】
カム機構は、ハウジング内に設けられていてスロットを規定するプレートと、プリントヘッド支持アッセンブリ上に設けられた回動部材から延在するピンと、から構成されていてもよい。プリントヘッド支持アッセンブリが上記所定位置まで移動したことの結果として、ピンがスロット内に係合すると、回動部材が、同部材がプリントヘッドを支持する第１位置から、ピールローラおよびプリンタリボン経路から離れた位置へとプリントヘッドが自由移動できることとなる第２位置へ、と回転する。
【００３７】
回動部材は、プリントヘッド支持アッセンブリ上に設けられた移動可能部材上に設けられていてもよい。回動部材が第１位置にあるときに、移動可能部材が退避位置から突出位置へと移動すると、それに起因して、プリントヘッドが印刷準備位置から印刷位置へと移動する。
【００３８】
印刷装置は、さらに、駆動機構に支持されたリボンへとプリントヘッドを当接させる手段と、コントローラとを含んでいてもよい。プリントヘッドは、印刷要素のアレイを備えていて、印刷要素のそれぞれが選択的に起動されて、当該要素に当接するリボン部分からインクを放出させる。コントローラは、印刷要素の起動、およびリボンの前進を制御して、一連の印刷サイクルを実行する。各印刷サイクルは、印刷段階と非印刷段階とを含んでいて、印刷段階においては、プリントヘッドとリボンとの相対移動に起因して、プリントヘッドが所定のリボン長さ部分を縦断する。非印刷段階においては、リボンは、プリントヘッドに対して相対的に所定距離だけ前進する。コントローラは、連続する印刷サイクルにおいて、異なる印刷要素群を選択的に起動するように構成されている。それぞれの印刷要素群は、異なる群が異なるリボン部分と当接することとなるように、プリントヘッドに配置されている。また、コントローラは、リボンの上記所定距離の前進が、リボンの上記所定長さよりも短くなるよう、リボンを前進させるように構成されている。同じ印刷要素群が起動されているすべての２つの印刷段階の間のインターバル中において、リボンが少なくとも上記所定長さだけ前進することとなるように、各印刷要素群は起動される。リボンの上記前進距離がリボンの上記所定長さの半分となるように、２つの印刷要素群が提供されていてもよい。
【００３９】
上述したように、連続的な印刷システムと間欠的な印刷システムとの間には、根本的な相違がある。これまでの工業上の適用においては、印刷装置は、連続的な印刷に使用できるか、または間欠的な印刷に利用できるかであって、１つの印刷装置で両方の機能を実行できるものはない。これら２つの適用例に要求される２つのタイプの印刷装置間における根本的な相違は、一方（連続的印刷）においては、プリントヘッドが静止している（静止という語は、上述した意味で用いている）が、他方（間欠的な印刷）においては、プリントヘッドが移動可能でなければならない、ということである。その結果、特定の生産ラインが、例えば間欠的な印刷ラインから、連続的な印刷ラインへと転換される場合には、印刷のための装備をすべて取り替える必要がある。これは、そのような装備のユーザに、かなりのコスト負担を強いる。
【００４０】
本発明の１つの目的は、上に概略的に説明した問題を除去または軽減することである。
【００４１】
本発明の第２の局面によれば、プリンタに隣接する所定経路に沿って搬送される基板に、プリンタリボンからインクを転写する転写プリンタが提供される。この転写プリンタは、プリンタリボン駆動機構と、プリントヘッドと、プリントヘッド駆動機構と、コントローラとを備える。プリンタリボン駆動機構は、第１および第２のリボン・スプールの間で、リボンを搬送する。プリントヘッドは、リボンの片面と接触して、その反対面を所定経路上にある基板に当接させることとなるように配置されている。プリントヘッド駆動機構は、所定の基板搬送経路とほぼ平行に延在するトラックに沿ってプリントヘッドを搬送するとともに、プリントヘッドを、リボンに接触するように、あるいはリボンから離れるように移動させる。コントローラは、プリンタリボンおよびプリントヘッド駆動機構を制御する。コントローラは、印刷の間、プリントヘッドを静止状態でリボンと接触させて、リボンを所定の基板搬送経路に対して相対的に搬送するようにプログラムされるか、あるいは、プリントヘッドが、リボンおよび所定の基板搬送経路に対して相対的に搬送されるとともに、印刷の間、リボンと接触するように移動されることとなるようにプログラムされる。
【００４２】
このように、本発明の第２の局面により、連続的な印刷および間欠的な印刷の両方に使用するのに十分に多機能な印刷装置が提供される。
【００４３】
上記本発明の第２局面の転写プリンタは、前述した本発明の第１局面における特徴のいずれか、またはその全てとともに組み合わせて使用することができる。特に、駆動機構は、双方向であって、２つのステッパモータを含んでいてもよい。２つのステッパモータは、それぞれが第１および第２のリボン・スプールの一方をテープ搬送方向に駆動する。リボン・テンションをモニタリングして、モニタリングされたテンションが所定の限界値と限界値との間に維持されるようにステッパモータを制御してもよい。プリントヘッド駆動機構は、プリントヘッドに連結されたさらに別のステッパモータを含んでいていもよく、プリントヘッドは、トラックに沿って移動可能なキャリッジ上に設けられていてもよい。さらに、相互に交換可能な第１および第２のキャリッジを設けて、基板搬送経路に沿ういずれの方向に移動する基板に対しても印刷可能としてもよい。プリントヘッドに隣接して設けられたピールオフ・ローラは、プリントヘッドに対して、その位置を反転させることが可能であってもよい。
【００４４】
概略的に上述したように、プリンタリボン等のテープを２つのスプール間で搬送するのに使用されるテープ駆動機構においては、テープを一方のスプールから他方のスプールへと搬送するうちに、各スプールの直径が変化していく。このことは、２つのスプールの相対速度に大きな影響を与えるが、テープをテンション下に維持する場合には、当該相対速度を維持しなければならない。この影響を考慮して、多様な試みがなされてきた。例えば、米国特許第４、４７９、０８１号明細書に記載されたものである。しかしながら、知られている試みのいずれもが、２つのモータがプッシュ-プル方式で作動する構成において、スプール直径の信頼できる正確な測定値を得て、それにより、駆動モータ速度の正確で適切な制御を可能とする、には満足できるものではない。知られたシステムの幾つかは、初期状態が常に同じ（例えば、外径が既知の新しい供給スプールが、空の巻上スプールに接続される）であるテープ駆動機構に対してうまく機能する。しかしながら、多くの適用例においては、殆どの場合、使用者が装置に装着するテープは、その一部が使用済であって、初期の外径が既知である供給スプールの一部分が巻上スプールに巻上げられたものである。
【００４５】
本発明の目的の１つは、以上のような問題を除去または軽減することである。
【００４６】
本発明の第３の局面により、スプール間でテープを搬送可能なテープ駆動機構に装着された２つのテープ・スプールの直径を測定する装置が提供される。この測定装置は、光学的検出システムと、搬送機構と、コントローラと、を備える。光学的検出システムは、その間に光学経路が形成されるように配置された、少なくとも１つの光エミッタと、少なくとも１つの光検出器と、を含む。搬送機構は、光学的検出システムの少なくとも一部を支持しているとともに、上記光学経路が、測定されるスプールの配置されている空間を掃くように横切ることとなるように、駆動可能である。コントローラは、上記搬送機構を制御するものであって、搬送機構の各位置を検出する。搬送機構の各位置において検出器の出力が変化して、光学経路がスプールで遮断された状態と、光学経路がスプールで遮断されてはいない状態と、の２つの状態の間の変遷を示す。そして、検出器の出力が変化することで検出された搬送機構位置から、スプール直径を計算する。
【００４７】
本発明の第３局面によれば、スプールのサイズを正確に測定することが可能となる。移動可能なプリントヘッドを備えた転写プリンタ等の装置においては、移動可能な構成要素は、移動可能なプリントヘッド上に簡単に設けることができ、したがって、装置の通常の機能に関して必要となる構成要素に加えて、追加的な電気機械的構成要素は必要とされない。
【００４８】
上記本発明の第３局面の装置は、前述した本発明の第１および第２の局面における特徴のいずれかと組み合わせて使用することができる。
【００４９】
例えば転写プリンタにおいて使用されるプリントヘッドは、特に高速印刷において、高品質の印刷を実現するためには、印刷される基板を支持するプラテンに対して、正確に位置決めされなければならない。僅か数°の角度のズレが、印刷の品質に大きく影響する。この問題を解決するための従来のアプローチにおいては、適当な支持アッセンブリ上の正確な公称位置にプリントヘッドを配置した後、テスト印刷を行って印刷品質を確認し、そして、プリントヘッドの位置を機械的に調整して、印刷品質が最大限とされる。この場合、設置者は、例えばスペーサを用いて、非常に細かな機械的調整を行なわなければならない。これは、非常に時間のかかる作業である。
【００５０】
本発明の目的の１つは、以上のような問題を除去または軽減することである。
【００５１】
本発明の第４の局面によれば、ハウジングと、プリントヘッドと、第１駆動機構と、ローラと、第２駆動機構と、コントローラと、を備えた印刷装置が提供される。プリントヘッドは、プリンタリボン経路と平行な方向に、ハウジングに対して相対的に移動可能なプリントヘッド支持アッセンブリ上に設けられている。第１駆動機構は、ハウジングに対して相対的にプリントヘッド支持部を駆動する。ローラは、印刷されるべき基板を、リボン経路側方のプリントヘッドから離れた位置に支持する。第２駆動機構は、プリントヘッドを、プリントヘッド支持アッセンブリに対して相対的に印刷位置まで駆動する。印刷位置では、プリントヘッドの一部が、ローラに、またはプリントヘッドとローラとの間に位置する基板またはリボンのいずれかに、圧接する。コントローラは、第１駆動機構を調節して、ローラの回転軸に関するプリントヘッドの角度位置を調節する。
【００５２】
ローラに、またはプリントヘッドとローラとの間に位置する基板またはリボンのいずれかに、圧接する上記プリントヘッドの一部は、選択的に起動可能な印刷要素を含むプリントヘッド部分であることが好ましい。印刷要素は、上記プリントヘッドの一部に沿って、例えば、プリントヘッドのエッジに沿って、線形に配置されていてもよい。また、印刷要素は、プリントヘッドのエッジに非常に近接して、平行に配置されていてもよい。
【００５３】
操作において、最初に設置者は、プリントヘッドの位置を、高品質の印刷が期待できる通常位置に合わせる。その後で、テスト印刷を行なって、印刷の品質を評価する。さらに、プリントヘッド支持部をハウジングに対して移動させた後、次の印刷を行なう。以上の操作を、印刷品質が最大限となるまで繰り返す。設置者は、支持部上でのプリントヘッドの位置を微調整する必要はない。
【００５４】
上記本発明の第４局面の印刷装置は、前述した本発明の第１、第２、および第３の局面における特徴のいずれかと組み合わせて使用することができる。
【００５５】
多くのテープ駆動機構、特にリボン印刷装置においては、新しいプリンタリボンの搭載は、プリンタリボンを非線形の経路に沿って正確に位置合わせしなければならないので、困難な工程となる。交換用プリンタリボンは、関連する印刷装置に所定の向きで簡単に装着できるよう設計されたカセット内に装着されることが多い。そのような構成においては、一般的に、カセット上の支持部間に延在するリボンの長さ部分を、プリントヘッドとピールオフ・ローラとの間に位置合わせすることが必要となる。プリントヘッドおよびピールオフ・ローラが互いに離れるように移動して、リボン挿入のために十分広いトラックを提供することが可能でない限り、このことを達成するのは困難である。
【００５６】
カセットが印刷装置に装着されるときに作動するレバー機構を用いて、プリントヘッドまたはピールオフ・ローラを移動させることができる構成を提供することは知られている。例えば、カセットが機械的なラッチで所定位置に保持されている場合、ラッチを解除すると、プリントヘッドおよびピールオフ・ローラが互いに離れるように移動する。一方、ラッチが係合している場合には、両者が一体となって印刷準備位置へと移動する。
【００５７】
そのような構成は、性能という点では満足できるものであるが、貴重な空間がレバー機構で占められて、大きな直径のテープ・スプールについて利用できる空間が少なくなるという点では不利である。
【００５８】
本発明の目的の１つは、以上のような問題を除去または軽減することである。
【００５９】
本発明の第５の局面によれば、ハウジングと、プリントヘッドと、第１駆動機構と、ピールオフ・ローラと、第２駆動機構と、を備えた印刷装置が提供される。プリントヘッドは、プリンタリボン経路と平行な方向に、ハウジングに対して相対的に移動可能なプリントヘッド支持アッセンブリ上に設けられている。第１駆動機構は、ハウジングに対して相対的にプリントヘッド支持部を駆動する。ピールオフ・ローラは、プリントヘッド支持アッセンブリ上に設けられていて、プリントヘッドとともに上記平行な方向に移動可能である。第２駆動機構は、プリントヘッドを、プリントヘッド支持アッセンブリおよびピールオフ・ローラに対して相対的に、プリンタリボン経路に隣接した印刷準備位置と印刷位置との間で移動させる。印刷位置では、プリントヘッドは、プリンタリボン経路上のプリンタリボンと当接する。カム機構が設けられていて、当該カム機構は、プリントヘッド支持アッセンブリが所定位置へと移動した結果として係合し、かつ係合した場合に、それに起因して、プリントヘッドが、印刷準備位置から、ピールローラおよびプリンタリボン経路から離れた位置へと後退する。
【００６０】
本発明の第５局面の構成によれば、プリンタリボンを保持するカセットが交換されるとき、電気信号を発生させて、プリントヘッド支持アッセンブリを所定位置（“ドック”位置）へと移動させることができる。これにより、自動的にプリントヘッドがピールオフ・ローラから離れるように後退して、プリントヘッドとピールローラとの間に簡単にテープを装着することができる。
【００６１】
上記本発明の第５局面の印刷装置は、前述した本発明の第１、第２、第３、および第４の局面における特徴のいずれかと組み合わせて使用することができる。
【００６２】
印刷装置に関連する他の課題は、連続する印刷サイクルの印刷段階と印刷段階との間のインターバルにおいて、十分なテープ搬送速度を得ることである。幾つかの例においては、１つの印刷サイクルの間にプリントヘッドによって縦断されるリボン長さに等しい距離だけ、プリンタリボンを搬送するのに要する時間が、全体的な装置速度に対する制限要因となっている。連続する２つの印刷サイクルの間にリボンを前進させる距離を減じることができれば、有利である。
【００６３】
本発明の第６の局面によれば、プリントヘッドと、プリンタリボン駆動機構と、プリントヘッド押当て手段と、コントローラと、を備えた印刷装置が提供される。プリンタリボン駆動機構は、プリントヘッドと、印刷される基板が前進する経路と、の間でプリンタリボンを前進させる。プリントヘッド押当て手段は、プリンタリボン駆動機構内に支持されたリボンに、プリントヘッドを押し当てる。このプリントヘッドは、印刷要素のアレイを備えていて、各アレイは、選択的に起動されて、当該アレイと接触するリボン部分からインクを放出させる。コントローラは、各印刷要素の起動、およびリボンの前進を制御して、一連の印刷サイクルを実行する。各印刷サイクルは、印刷段階と非印刷段階とを含んでいて、印刷段階では、プリントヘッドとリボンとが相対的に移動することによって、プリントヘッドが所定のリボン長さだけ反対方向に移動する。非印刷段階では、リボンがプリントヘッドに対して相対的に所定距離だけ前進する。コントローラは、連続する複数の印刷サイクルにおいて、異なる印刷要素群を選択的に起動するように構成されている。各印刷要素群は、異なる群が異なるリボン部分と接触することとなるように、プリントヘッド上に配列されている。さらにコントローラは、リボンの上記所定距離だけの前進が、リボンの上記所定長さよりも短くなるように、リボンを前進させるように構成されている。同じ印刷要素群が起動されているすべての２つの印刷段階の間のインターバル中に、リボンが、少なくとも上記所定のリボン長さだけ前進することとなるように、印刷要素の各群は起動される。
【００６４】
印刷要素が２つの群を構成している場合（例えば、線形のプリントヘッドを横断してピクセルが１つおきに交互に配置されている場合）には、１つの印刷サイクルにおいて１つの群を用いて像が印刷され、リボンは、第１サイクルにおいてプリンタによって縦断されるリボン長さの半分の長さだけ前進させられる。第２サイクルにおいては、他方の群を用いて第２の像が印刷され、リボンは、再度、プリントヘッドの縦断距離の半分の長さだけ前進させられる。そして、第３の印刷サイクルにおいては、第１群が起動され、以下、同様に繰り返される。このように、連続する印刷サイクルと印刷サイクルとの間における最大のテープ搬送距離は、従来の印刷システムにおいて必要とされていたものの半分とすることができる。
【００６５】
上記本発明の第６局面の印刷装置は、前述した本発明の第１、第２、第３、第４、および第５の局面における特徴のいずれかと組み合わせて使用することができる。
【００６６】
印刷要素が３群に構成されている場合には、連続するサイクル間におけるテープの前進距離は、１サイクル中にプリントヘッドにより縦断されるリボン長さの１/３に抑えることができる。
【００６７】
（発明を実施するための最良の形態）
本発明の具体例を、添付の図面を参照して、例示として説明する。
【００６８】
図１に概略的に示した本発明のプリンタは、破線で示したハウジング１を備える。ハウジング１は、第１シャフト２および第２シャフト３を保持している。ハウジングには、移動可能なプリントヘッド４も装着されていて、プリントヘッド４は、矢印５で示したように、直線トラックに沿って移動可能である。プリンタリボン６は、スプール７から延びて、ローラ９および１０を経て、第２スプール１１へと至る。スプール７は、シャフト２で駆動されるマンドレル８に支持されていて、スプール１１は、シャフト３で駆動されるマンドレル１２に支持されている。リボン６は、ローラ９と１０の間において、プリントヘッド４の前面に延びる経路を通過する。基板１３は、その上でプリントが行なわれるものであるが、ローラ９と１０の間において、リボン６と平行な経路を移動する。このとき、リボン６は、プリントヘッド４と基板１３との間に位置する。
【００６９】
シャフト２はステッパモータ１４で駆動され、シャフト３はステッパモータ１５で駆動される。別のステッパモータ１６は、その直線トラック上で、プリントヘッド４の位置を制御する。後に詳述するように、コントローラ１７は、ステッパモータ１４、１５、１６のそれぞれを制御し、これらのステッパモータは、矢印18で示したように、プリントリボン６を両方向に駆動することが可能である。
【００７０】
図１に示した形態では、スプール７および１１は同一方向に巻かれており、したがって、同じ方向に回転することでテープを移動させる。図１Ａは、図１のドライブ・システムに対する変形例を示しており、両スプールは反対方向に巻かれている。つまり、反対方向に回転することでテープを移動させる。このように、第１スプール７が時計方向に回転し、第２スプール１１が反時計方向に回転することで、第１スプール７から第２スプール１１へとプリンタリボン６を搬送する。
【００７１】
後に詳述するように、図１に概略的に描いたプリンタは、連続的な印刷および間欠的な印刷の両方に対して使用することができる。連続的な印刷では、基板１３は連続的に移動する。印刷サイクルの間、プリントヘッドは静止しているが、リボンが移動し、サイクルの進行に伴って新しいリボンがプリントヘッドへと供給される。
これに対して、間欠的な印刷においては、各印刷サイクル中、基板は静止している。基板とプリントヘッドとの間に要求される相対的な移動は、印刷サイクル中にプリントヘッドが移動することで実現される。印刷サイクル中、プリントヘッドはほぼ静止している。いずれの印刷においても、印刷サイクルと印刷サイクルとの間において、リボン６を迅速に進め、あるいは戻し得ることが必要となる。これにより、新しいリボンをプリントヘッドへ供給して、リボンの浪費を最小限に抑えることができる。印刷装置の作動速度は決まっており、また、すべての印刷サイクルにおいて、プリントヘッドと基板との間に新しいリボンが供給されるべきこと、を考慮すれば、両方の方向にリボン６を高速に加速させることができ、かつプリントヘッドに対してリボンを正確に位置決めできることが必要となる。図１に示した構成では、基板は、矢印１９で示したように右方向にのみ移動する。しかし、後述するように、この装置は、図１において左方向に移動する基板への印刷に、迅速に適合させることが可能である。
【００７２】
図１の概略図でその概要を説明したプリンタを構成する電気機械的要素を、図２、３、４を参照して説明する。プリンタハウジング１はケーシング２０を備え、ケーシング２０内では、カバープレート２１の後方に、後述する多様な電子部品が収容されている。シャフト２および３は、カバープレート２１の開口を通過して突出しており、ガイドピン９ａおよび10ａは、カバープレート２１から突出している。プリントヘッド４は、カバープレート２１の上方に設けられている。プリントヘッド４は、カバープレート２１に対する相対位置が固定された直線トラック２２に沿って移動可能なアッセンブリの一部である。プリントヘッド・アッセンブリの位置を制御するステッパモータ１６は、カバープレート２１の後方に配置されているが、プーリーホイール２３を駆動する。プーリーホイール２３は、別のプーリーホイール２５との間に延びるベルト２５を駆動する。このベルトは、プリントヘッド・アッセンブリに固定されている。
したがって、図４において、プーリー２３が時計方向に回転すると、プリントヘッド・アッセンブリは図４中左側へと駆動される。反対に、図４において、プーリー２３が反時計方向に回転すると、プリントヘッド・アッセンブリは図４中右側へと駆動される。プーリーホイール２３、２５および直線トラック２２は、カバープレート２１から上方に延びる硬質ブラケット２６上に設けられている。
図２は、シャフト２および３に取り付けられたドライブディスクを示している。ドライブディスクは、半径方向に間隔をおいたソケットを規定していて、これがリボンスプール８および１２と係合する。図４では、ドライブディスクは取り外されていて、ステッパモータ１４および１５の上面が示されている。
【００７３】
図３には、カセットに支持されたプリンタリボンを示している。このカセットは、図２のプリンタに装着される。中空のローラサポート９ｂおよび１０ｂは、それぞれが図２に示されるピン９ａおよび１０ａを受け入れる。ピン９ａと中空ローラ９ｂとが一体となって図１中のローラ９を構成し、ピン１０ａと中空ローラ１０ｂとが一体となって図１中のローラ１０を構成する。スプール７および１１は、マンドレル８および１２に支持されている。マンドレル８および１２は、中空ローラ９ｂ、１０ｂを備えた共通のカバープレート上に設けられた回転可能なシャフトに圧入されている。この回転可能なシャフトは、シャフト２、３で駆動されるドライブディスク上に規定されたソケットと係合するピンを規定している。したがって、カセットを所定位置に装着すると、リボンは、２つのスプール７および１１の間で搬送される。
【００７４】
ハウジング・カバープレート２１（図２）は、また、直立するリア・ブラケット２７を支持している。リア・ブラケット２７には、一対のエミッタ２８、２９が支持されている。これら２つのエミッタは、後に詳述するように、プリントヘッド・アッセンブリとともに移動可能なレシーバと協働する。
【００７５】
プリントヘッド・アッセンブリ４は、図２および図４では“ドック位置”にある。そして、図５の位置では、ローラ・プラテン３０（連続モードにおいて、連続的に移動する基板と協働する）上での印刷に備えている。また、図６の位置では、プリントヘッドは、基板上での印刷に備えている。この基板は不動であって、不動のフラット・プラテン３１の前方に位置している。図２および図４に示した位置では、プリントヘッド４のエッジ３２は、ローラ９および１０間のリボン経路から離れた位置に引っ込んでいるが、ピールオフ・ローラ３３は、リボン経路に関してプリントヘッド４とは反対側の位置にある。これにより、新しいリボンカセットの装着が容易になる。
対照的に、図５および図６に示した印刷準備位置では、プリントヘッド４は前方に移動していて、そのエッジ３２は、ローラ３３の外端を僅かに超えて突出している。したがって、印刷準備位置では、プリントリボンはエッジ３２の周囲を通過し、ローラ３３によって、その下方にある基板から離れるようにそれる。
【００７６】
プリントヘッド４（従来の形態を有している）のエッジ３２は、それぞれが選択的に作動可能な加熱要素のアレイを保持している。リボン６がヘッド４と基板１３との間に挟み込まれたとき、作動した加熱要素に隣接するインクが溶けて、基板に転写される。したがって、加熱要素を適当に制御することで、リボン６に保持されたインクの小部分を基板１３へと転写できる。このようなインクの小部分のそれぞれが、印刷されるべき像の中の１つのピクセルを規定していると考えられる。
【００７７】
図２〜図９のすべてを参照して、プリントヘッド・アッセンブリおよび当該アッセンブリが装着されるスライダの詳細な構造を説明する。図９は、隣接位置へと前方に引かれたプリントヘッド・アッセンブリを示していて、これにより、当該アッセンブリに関連する要素を明らかにしている。図９は、直線トラック２２が設けられた直立ブラケット２６に形成されたスロット３４を最もよく示している。プリントヘッド・キャリッジ３６を保持するスライダ３５は、直線トラック２２上に設けられている。スライダ３５およびトラック２２は、高精度製品であって、ブラケット２６に対するプリントヘッド・キャリッジ３６のスムーズかつ低摩擦の平行移動を実現する。プリントヘッド・キャリッジ３６上には光学的な検出器３７が設けられていて、この検出器３７は、ブラケット２６に形成されたスロット３４に位置合わせされている。検出器３７は、後述するように使用されて、エミッタ２８および２９からの光を検出する。このとき、検出器２７とエミッタ２８、２９との間の障壁となり得るのは、プリンタに装着した、例えば図３に示したカセット内のリボンスプールのみであることが、スロット３４の存在によって保証される。カセットは、カセット本体に組み込まれた永久磁石（不図示）によって、図３に示した構成要素に対して相対移動しないように固定されている。この永久磁石は、ブラケット２６の頂部に設けられた円形のスチールキーパー３８と協働する。カセットを所定位置に固定するための別の構成として、機械的なラッチ・アッセンブリを利用することも勿論可能である。
【００７８】
プリントヘッド・キャリッジ３６は、プリントヘッド４を有するプリントヘッド・アッセンブリを保持している。プリントヘッド４は、回動ピン４０の回りにに回動可能に取り付けられた回動プレート３９にボルト固定されている。回動ピン４０は、プリントヘッド・キャリッジ３６にボルト固定されたプレート４１に設けられている。スプリング４２が回動プレート３９をプレート４１に向かって付勢していて、障害物が何もなければ、プリントヘッド４は、プリントヘッド・キャリッジ３６に対して、図４に示した相対位置に位置する。ピールオフ・ローラ３３は、プリントヘッド・キャリッジ３６にボルト固定されたアーム４３上の所定位置に固定されている。
【００７９】
空気ドライブユニット４４は、プリントヘッド・キャリッジ３６に形成されたスロット内にスライド係合していて、ピストン４５を駆動する。図８は突出位置にあるピストン４５を、図７は退避位置にあるピストン４５を、それぞれ示している。空気ドライブユニット４４は、空気入口４６（図２）に接続された可撓性のある空気供給ライン（不図示）に接続されている。入口４６に接続されたチューブ４７は、プリントヘッド・キャリッジ３６内の開口を通過して、空気ドライブユニット４４と連通している。空気ドライブユニットのピストン４５は、回動ピン４９でＵ字ブラケット５０に連結されたＵ字状部材４８に圧接する。ブラケット５０が保持しているピン５１（図９）は、カムプレート５３のスロット５２内に係合する。ブラケット５０は湾曲コーナ５４を規定していて、この湾曲コーナ５４は、図７および図８に示しているように、プレート３９上に規定された湾曲面５５上に当接する。しかしながら、ピン５１がスロット５２のブラインドエンドに受け入れられて、その内部へと押圧されると、プレート３９がプレート４１に向かって回動可能となり、プリントヘッド４が図２および図４に示したドック位置に位置する。
【００８０】
ブラケット５０は、レバー５０ａ（図７）に連結されたスプリング（不図示）によって、通常は図７に示した位置にくるように付勢されている。その後、加圧エアが空気ドライブ４４に供給されると、アッセンブリは図８の位置にくる。図８の位置では、プリントヘッド４のエッジ３２がピールオフ・ローラ３３を超えて突き出ていることが分かる。空気ドライブユニット４４がオフとなって、Ｕ字状部材４８が図７の位置に戻ると、キャリッジが移動してピン５１がスロット５２内に入る。同じ方向にキャリッジがさらに移動すると、ピン５１はスロット５２のブラインドエンドに入る。これにより、ブラケット５０は回動ピン４９を中心として回動して、もはやプリントヘッド４がドック位置へ戻ろうとする移動を妨げることはない。
キャリッジが逆方向に移動すると、ピン５１の作用によってブラケット５０が回動して再びスロットから出てきて、プリントヘッド４を図７の位置へと押圧する。図７の位置は、“印刷準備位置”に対応している。また、図８の位置は、“印刷位置”に対応している。
【００８１】
図１０は、プリントヘッド・キャリッジ３６の斜視図であって、装置組上げ状態において、空気ドライブユニット４４を受け入れるソケットを示している。開口５６は、空気入口チューブ４７（図７）を受け入れるために設けられている。舌状部５７は、プリントヘッド・キャリッジ３６の下縁から突出していて、図示しない方法で当該キャリッジ３６をベルト２４に取り付けるのに使用される。
【００８２】
図１〜図１０に示した具体例では、印刷が行なわれるべき基板は、図５に関して、左から右へとプリントヘッドを通過するように、または、印刷時にプリントヘッドが図３５のプラテン３１に関して右から左へ移動するように、構成されていた。ピールオフ・ローラ３３は、すべての段階において、印刷エッジ３２の下流側に位置している。種々の状況があるが、上記構成では都合が良くない場合には、エッジ３２とピールオフ・ローラ３３との相対位置を逆にして、プリントヘッド４を反対向けてもよい。図示した装置において、図１０のプリントヘッド・キャリッジ３６を、図１１のプリントヘッド・キャリッジ５８に交換すれば、このことは簡単に達成できる。
図１２は、その結果得られるアッセンブリを示している。プリントヘッド・キャリッジ５８もまた、空気ドライブユニット４４を受け入れるソケット５９、および空気入口チューブ４７を受け入れる開口６０を規定している。図１１のプリントヘッド・キャリッジ５８は、図１０のプリントヘッド・キャリッジ３６に対して、鉛直面に関して鏡像関係にある。
【００８３】
図１２を参照すると、プリントヘッド４とピールオフ・ローラ３３との位置が逆になっていることに加えて、カムプレート５３が図１〜図１０の具体例での位置に対して180°回転してマグネット３８の反対側に取り付けられていることが分かる。ピールオフ・ローラ３３が取り付けられているアーム４３もまた移動させられていて、引き続き、カバープレート２１に隣接した位置にある。
【００８４】
上述のプリンタ構成によって、多くの非常に優れた利点がもたらされる。第１に、１つの装置を使用して、連続的な印刷および間欠的な印刷の両方が可能となる。生産ラインを、印刷の一形態から他の形態へと変更することは、新しいプリンタの購入が必要であることを意味しない。
第２に、ただ１つの構成要素(択一的に使用される図１０および図１１のプリントヘッド・キャリッジ)の追加を含む比較的軽微な変更によって、１つの装置を左方向への印刷にも、右方向への印刷にも使用することが可能となる。ここでは、図２の例が“右方向への印刷”であり、図１２の例が“左方向への印刷”である。
第３に、リボン交換が簡単である。それは、ドック位置においてプリントヘッド４は、ピールオフ・ローラ３３から離れるように自動的に引っ張られていて、広いトラックを提供しているからである。この広いトラックには、カセットに保持された交換用プリンタリボンを挿入することができる。
【００８５】
図１３、１４、１５、１６を参照して、図１〜図１２で説明した装置を用いてプリンタリボンを有効に使用するための異なる方法を説明する。これらのすべての方法は、リボンの浪費が最小限となるようにリボンがプリントヘッドに供給され得るという、高い精度に依拠している。
【００８６】
図１３を参照すると、リボンは、その長手方向が矢印６１で示されている。矢印方向において、オーバーラップする領域を伴なった６つの個別の印刷操作が終了している。これらの６つの領域は、６２〜６７で示されている。領域６２の後半分は、領域６３の前半分とオーバーラップし、領域６３の後半分は、領域６４の前半分とオーバーラップし、以後同じである。基板への印刷において、領域６２が印刷されると、リボンは当該領域の長さの半分だけ前進する。さらに、領域６３が印刷されると、再度リボンは、当該領域の長さの半分だけ前進する。以後同じである。
【００８７】
このようにオーバーラップした印刷領域は、連続的な印刷工程および間欠的な印刷工程の両方に使用することができる。上述の構成では、隣接する領域は、その半分の長さだけオーバーラップしているが、他のオーバーラップ割合を採用することも可能である。隣接する印刷領域がオーバーラップしている場合、隣接する２つの印刷領域とオーバーラップする１つのリボン領域は、当該２つの印刷領域の一方においてのみ使用されるリボン部分のみに基いて印刷が進行することが確実となるような方法で使用されることが重要となる。このことは、すべての一印刷領域内において、リボンの１つおきの部分のみを選択することで達成できる。例えば図１４に示したように、プリントヘッド上の隣接する加熱要素（ピクセル）がリボン領域６８および６９で現されるとすると、リボン領域６８を１つの印刷領域に対して使用し（例えば領域６２）、リボン領域６９をそれに隣接する印刷領域に対して使用する（領域６３）。このようにして、プリントヘッド上で隣接するピクセル間のスペースを十分に小さくして、１つおきに位置するピクセルのみを使用して十分高品質の像を印刷することができる。また、１つの像を印刷するためにすべてのピクセル要素が使用され、かつ印刷領域間にオーバーラップが存在しない場合に比較して、１つのリボンから２倍の像を形成することが可能となる。しかも、連続する印刷サイクルにおいて、印刷段階と印刷段階との間でリボンが前進すべき距離が半分になる。これによって装置の作動速度が速くなるので、幾つかの適用例においては有利となる。
【００８８】
この利点を示すために、図１５は、基板上への従来の印刷を示していて、連続するサイクルとサイクルとの間においてオーバーラップは存在しない。それに対して、図１６では、オーバーラップに依拠した同様の操作を示している。
【００８９】
図１５を参照すると、基板７０上には、連続して像７１および７２が印刷されている。下方に示したのはプリンタリボン７３であって、その領域７４および７５は、像７１および７２を印刷するのに使用されている。リボンの搬送長さは矢印７６で示されていて、１つの像の２倍の長さに等しい。
【００９０】
図１６を参照すると、オーバーラップを利用して印刷する場合に、連続する印刷段階と印刷段階との間において、リボン消費の削減およびリボン搬送距離の削減の両方がどのようにして達成されるのかが示されている。図１６における領域７４および７５のそれぞれが、図１５中での対応する領域の半分の長さであって、したがって搬送距離も半分となることが分かるであろう。迅速なリボン搬送が要求される幾つかの適用例においては、連続する印刷段階と印刷段階との間でリボンを搬送すべき距離を半分にすることによって、装置の高速作動能力を著しく向上させることができる。また、２群を超える印刷要素を使用すれば（例えば３群）、必要なリボン搬送長さは像の長さの僅か１/３になる。このように、プリンタリボンの搬送距離および画質は相反する要求であるが、本発明のこのような態様によれば、そのような装置の操作者に対して向上した柔軟性を提供することができ、幾つかの適用例においては経済的に著しく有利となる。
【００９１】
図１３〜図１６を参照して説明した利点は、基板およびプリントヘッドに対するプリンタリボンの相対的な位置決めが高精度で行なわれる場合にのみ達成できる。テープの加速、減速、速度、および位置の正確な制御を達成するための従来のアプローチは、フィード・スプールとサプライ・スプールとの間にあるキャプスタン・ローラに依拠してきた。しかしながら、本発明においては、全く異なるアプローチに依拠している。すなわち、リボン・スプールを駆動するステッパモータ１４および１５（図１）のドライブを正確に制御することである。これらのステッパモータは、プッシュプルの双方向モードで作動する。すなわち、スプールとスプールとの間をテープが一方向に移動するとき、両ステッパモータは、その方向に駆動される。逆に、リボンが逆方向に駆動されるとき、両ステッパモータは同じく逆方向に駆動される。２つのステッパモータに対する駆動を同じにするには、両スプールの直径を知る必要がある。このことは、例えば図２に示した発光素子２８、２９および光検出器３７を使用することで達成できる。
【００９２】
図１７は、発光素子２８、２９および光検出器３７をどのように使用して、スプール直径を測定するのかを説明している。検出器３７は、プリントヘッド・キャリッジ３６上に設けられていて、線７６で示した位置と線７７で示した位置との間で移動可能である。図１７において、検出器３７が線７６で示した位置から右側へと移動すると、まずエミッタ２８が起動する。検出器３７は、最初はスプール７よってできる影の中にあるが、線７８ａで示される面を超えると直ちに出力を出す。この出力は、検出器３７が線７８ｂで示される面を超えると出なくなる。その後、検出器３７は、線７７で示した位置まで前進する。検出器３７は、エミッタ２８がオフとなって、エミッタ２９がオンになった後で、元の位置に戻る。検出器３７は、最初はスプール１１よってできる影の中にあるが、線７９ａで示される面に達すると直ちに出力を出す。この出力は、検出器３７が線７９ｂで示される面を超えると出なくなる。検出器の移動に関して、検出器３７が面７８ａ、７８ｂ、７９ａ、７９ｂと交差する位置は、以上のようにして測定することができる。
２つのスプールの回転軸間の距離Ａは既知である。検出器３７が移動するトラックと、エミッタ２８および２９が配置された面と、の間の垂直距離Ｂは既知である。シャフト２および３の軸から検出器３７が移動するトラックまでの垂直距離Ｃも既知である。これらの距離から、スプール７および１１の直径Ｄ１およびＤ２は、簡単な三角法を利用して求めることができる。
【００９３】
２つのエミッタ２８、２９を使用することで、スプール直径とは無関係に、いかなる１つのスプールに対しても、少なくとも１つのエミッタによって作り出される影を検出器３７で確実に検出することができる。しかしながら、１または２以上のエミッタと、１または２以上の検出器と、を使用した他の構成を採用してもよい。
【００９４】
もし、面７８ａ、７８ｂ、７９ａ、７９ｂが検出器３７の移動方向に垂直であれば、スプール直径を求める計算は幾分か簡単になるであろう。このことは、例えば、エミッタ２８、２９に代えて、プリントヘッド・キャリッジ３６の移動方向と平行に延在するミラーを採用し、トランスミッターおよび検出器の両方をプリントヘッド・キャリッジ３６上に配置することで達成される。検出器は、当該検出器とエミッタとの両方がミラーに対して垂直な面上にある場合にのみ光を検出する。そのような構成は、必要となる三角法という観点からは簡単と言えるが、トランスミッターまたは検出器が故障した場合に、それが、検出器が一方のスプールの影の中に位置すると判断され得るという点で不利である。
【００９５】
各スプールの直径が既知であるので、両スプールをプッシュプル方式で駆動することができ、その結果、２つのステッパモータの回転速度を適切に制御することで、高速な加速および減速を達成できる。しかしながら、２つのスプール間におけるリボンのテンションを綿密に制御して、テンションが過大になったり（その場合には、スプール上にリボンが過度に強く巻き付けられたり、あるいはリボンが破損することにつながる）、過小になったり（その場合には、リボンが緩くなる結果として、位置制御が不能となる）することを回避しなければならない。そのような事態を回避するために、ステッパモータを参照することで、時間経過に伴なうスプール直径の変化がモニタリングされ、ステッパモータに流れ込む電流を参照することで、リボンのテンションが直接モニタリングされる。
【００９６】
本発明の一具体例においては、例えば図１〜図１０で説明した装置に新しいカセットが装着された場合、一方のカセット・シャフトは、殆ど空のスプール（巻上スプール）を支持し、他方のカセット・シャフトは殆ど満載のスプール（供給スプール）を支持するであろう。以後の説明では、巻上スプールに関連するステッパモータを巻上モータと、他方のステッパモータを供給モータと呼ぶ。
【００９７】
最初、巻上モータが起動されて、２つのスプール間に延びるリボンのたるみが除去される。その後、図１７を参照して説明した光学システムによってプリントヘッドのスキャンが行なわれて、初期のスプール直径が推測される。次に、供給モータを起動して、供給スプール回りのリボンにテンションをかける。次に、巻上モータを起動して、供給スプールからリボンを引き出す。巻上スプールを駆動するモータのステップ数がモニタリングされる。他方のモータは停止しないが、逆起電力（back-emf）が発生する結果、パルスが生成されて、このパルスがカウントされる。各スプールが数回転した後、巻上モータのステップ数および供給モータにより生じるパルス数がカウントされて、このカウント数を用いて、２つのスプール直径の比率が求められる。この後、リボンは、制御された停止位置（controlled halt）へと運ばれる。両モータは、オーバーランを防ぐべく、制御された方法で減速される。このように、供給モータは、パルス駆動により減速される。モータ回転と同期して減速パルスを供給モータに適用することは、当該モータの１巻きにおいて生成される反起電力をモニタリングし、当該巻き動作に対して適当なタイミングで減速トルクを負荷することで達成される。スプールから延びるリボンのテールが図１７で説明したスキャニング構成の光学経路を遮る機会を最小限とするためには、巻上スプールが多数回転することが必要となる。その後、さらなる光学的スキャンが両方向において行なわれ、スプールを停止させた状態で、巻上スプールの直径が測定される。この後、モータを適当なステップ数だけ（このステップ数は一定である。）ステップさせることでスプールがステッパモータの軸回りに３０°回転する毎に、光学的スキャンが繰り返される。これにより、スプール（完全な円ではない）の寸法マップが作成され、このマップを使用して、リボンの各フィードにおいてそれぞれ回転する円弧について各スプールの平均半径が計算される。さらに、これらの半径を使用して、スプール軸回りの直径の変動が計算される。これにより、各スプールの円周、およびそのスプールを駆動するモータの所定数ステップによる前進の効果を、正確に測定することが可能になる。例えば、計算で得られた異なる半径を使用して、ステップ速度、および各モータによって適切な方法でスプールを駆動するのに必要なステップ数を計算することができ、これにより、リボンを所定距離だけ送ることができる。これらの半径およびステップ速度は、例えば後に説明するような、テンションをモニタリングするための計算に使用することもできる。
【００９８】
その後、同様の光学的スキャンが両方向について行なわれて、供給スプールの半径が計算される。この情報は、前に計算したスプール直径の割合と組み合わされて、スプールの寸法および形状に関する正確なデータのセットを与える。供給スプールから巻上スプールへと送られたリボンは、この後、供給スプールへと巻き戻されて、リボンの浪費を回避する。
【００９９】
一般に、ステッパモータは、２つの矩形巻きコイルを備えている。電流は、一連のパルスとして、かつ両方の意味（正および負）において、一方または両方のコイルに供給されて、モータ軸のステップ前進が達成される。これらのコイルに固有の電気的時定数とは無関係に適度な性能を達成するために、当該モータの通常レシオによりもかなり大きな電圧を負荷することで、ステッパモータをオーバードライブすること、および所望のモータ電流が達成されたときにこの電圧をパルス幅変調すること、が良く知られている。例えば、２アンペアの電流を供給可能な３．６ボルトのモータに対して、３６ボルトを印加する。これにより、代表的には数１０マイクロ秒で、モータ内の電流が急激に増大する。そのような電圧を印加してオーバードライブを行なうと、比較的短時間の電圧印加時間同士の間に、比較的長い電圧が印加されない時間を割り込ませて分割することができる。その結果、電源からモータへ流れる電流は、劇的に円滑となる。さらに、モータが実行する機能に関してゼロ負荷の下で同モータが作動する場合（プリンタリボンのテンションがゼロである場合と等価）であっても、モータに供給される電流は、モータ回転速度、モータの特定の特性（効率等）、およびモータ駆動回路の特定の特性（ゲインおよびオフセットの不一致）等の多様な要素の関数となる。したがって、モータ負荷ではなくこれらの要素に関連した電流の変動を考慮して、モータのキャリブレーションを行なう必要がある。
【０１００】
各モータは、一連の異なる速度において、ゼロ負荷の下で駆動してキャリブレーションが行なわれる。例えば、毎秒１２５ステップ、２５０ステップ、および３７５ステップに対応する速度であり、以後、１２５ステップづつ増加させていって、毎秒５０００ステップに対応する速度までキャリブレーションを行なう。これにより、リボンを前進させるときに要求されるリボン速度の全体がカバーされる。この範囲は、全体として、１００〜６００ｍｍ/秒のリボン搬送速度に対応する。この工程は何回（例えば２０回）も繰り返され、その結果の平均を使用して、各モータの各ステップ速度に対するキャリブレーション係数Ｘが計算される。次の関係が利用される。
【０１０１】
Ｘ ＝ Ｎ/Ｖ
ここで、
Ｘは、モータのあるステップ速度におけるキャリブレーション係数である。
Ｖは、あるステップ速度において測定された平均のモータ作動値である。
Ｎは、一定の正規化またはスケーリング係数である。
【０１０２】
上式を用いて、各モータに対して、所定の各ステップ速度毎に、一連の値Ｘが計算される。あるステップ速度で装置が使用されているとき、上記係数Ｘのうちの１つが選択されて、リボン・テンションの計算に使用される。または、与えられたステップ速度に対するＸの値が、当該ステップ速度に最も近い所定の２つのステップ速度に対するＸの値から内挿法を利用して計算される。
【０１０３】
図１８は、モータ・キャリブレーションの間、およびその後におけるリボン・テンションの制御の間の両方における、Ｖの値の計算を説明している。図１８を参照すると、調節された電源８０によって、第１駆動回路８１および第２駆動回路８２が起動している。電源８０から駆動回路８１への電流の供給は、低抵抗レジスタ８３を介して行なわれる。レジスタ８３を超えることによる電位の増加はレベルトランスレータ８４に印加される。同様に、駆動回路８２への電流の供給は、低抵抗レジスタ８５を介して行なわれ、レジスタを超えることによる電位の増加はレベルトランスレータ８６に印加される。レベルトランスレータ８４および８６からの出力は、Ａ/Ｄ変換器８７および８８に送られ、Ａ/Ｄ変換器８７および８８からの出力は、マイクロ・コントローラ８９に送られる。マイクロ・コントローラ８９は、パルス形式の出力９０を第１駆動回路８１へ、パルス形式の出力９１を第２駆動回路８２へ、それぞれ送る。各駆動回路は、円筒９２および９３で表されたステッパモータを起動し、各ステッパモータは、スプール９４および９５を駆動する。
【０１０４】
モータをキャリブレーションする間、ステッパモータ９２および９３の出力軸にスプールは装着されていない。各モータについて、あるステップ速度におけるＡ／Ｄ変換器８７、８８の出力が記録されるので、予め選択された各ステップ速度における各モータのＸおよびＶを知ることができる。その後、これらの値が後述するように使用されて、スプール９４と９５の間におけるリボン・テンションを直接的にモニタリングできる。これらのスプールは、ステッパモータ９２および９３の出力軸に装着されたものである。
【０１０５】
テンションの計算に使用する式は次の通りである。ここでは、モータ９２がプルで、モータ93がプッシュであるとしている。
【０１０６】
Ｖ１Ｘ１ ＝ （Ｎ＋ｒ１ｔＸ１）ｆ(Ｔ)          （１）
Ｖ２Ｘ２ ＝ （Ｎ−ｒ２ｔＸ２）ｆ(Ｔ)          （２）
ここで、
Ｖ１は、選択された一定のステップ速度でのリボン送りに対するＡ／Ｄ変換器８８の出力である。
Ｖ２は、リボンを送る間におけるＡ／Ｄ変換器８７の出力である。
ｒ１は、スプール９４の半径である。
ｒ２は、スプール９５の半径である。
Ｘ１は、選択された一定のステップ速度についての、モータ９２のキャリブレーション係数である。
Ｘ２は、モータ９３のステップ速度について、モータ９３のキャリブレーション係数である。
Ｎは、モータ・キャリブレーション時のスケーリング係数である。
ｔは、リボンのテンションである。
ｆ(Ｔ)は、温度に関連した関数である。
【０１０７】
測定値であるＶ１およびＶ２に影響を与える温度変化は、一般的に、両方のモータに対して同程度の影響を与える。したがって、式（１）を式（２）で割ると、関数ｆ(Ｔ)を消去できる。したがって、その式を解いて、以下のようにテンションｔを求めることができる。
ｔ ＝ Ｎ（(Ｖ１/Ｘ２)−(Ｖ２/Ｘ１)）/（Ｖ２ｒ１＋Ｖ１ｒ２）          （３）
【０１０８】
このように、各モータの与えられた全てのステップ速度に対して、適切なキャリブレーション係数を見つけて、それを使用して、リボン・テンションｔの値を求めることができる。求められたｔの値が大き過ぎる場合（所定の限界値を超えている）には、一方または両方のモータに対して小ステップでの調整を行なって、スプール間に延在するリボン部分に対して短かなリボン部分を加える。求められたｔの値が小さ過ぎる場合（別の所定の限値値を下回っている）には、スプール間に延在するリボン部分から一定の長さ部分を除去することができる。スプール間に延在するリボン部分に加えられ、またはそこから除去されるリボンの補正量を決定するのに使用される制御アルゴリズムは、従来から知られたものであって、例えば、ＰＩＤ制御（proportional integral derivative control）として知られたアルゴリズムである。このアルゴリズムは、測定されたテンションｔを、所定の上限値および下限値（いわゆるデッドバンド）と比較することを可能とする。そして、測定されたテンションがこれらの限界値の外にある場合には、測定されたテンションｔと、上記上限値および下限値の間に設定したテンションの公称要求値（nominal demand）との差が計算される。この計算結果は、エラー信号とされる。次に、このエラー信号は、積分係数および微分係数、並びに比例ゲイン定数を含むＰＩＤアルゴリズムによって数学的に処理される。この数学的処理によって、次のリボン送りの際に、スプール間に延びるリボン部分に追加すべき、またはそこから除去すべきリボンの“補正量”が求められる。このようなリボンの追加または除去により、リボンのテンションが許容限度内に維持される。
【０１０９】
より詳細には、エラー（公称テンションと測定テンションとの差）を計算し、このエラーをリボン幅に依存するゲイン係数で割算することで補正値が計算される。ゲイン係数が大きくなると、公称テンションが増加するので、システムはタイトになるであろう。ゲイン定数は、異なるリボン幅を考慮して変化するので、ゲイン係数は、リボン幅にも依存する。何故なら、細いリボンに対して大きな引張りを生じさせるテンションでも、太いリボンに対しては、小さなテンションしか生じさせず、したがって、スプール間に延在するリボン部分に対してリボンを追加あるは除去することの効果は、リボンの剛性に大きな影響を受けるからである。連続するサイクルは、ゲイン係数を公称値１００（きつい）から公称値８０（緩い）へと調整する。最初の読みから、“きつい”または“緩い”読みが連続する毎に、０．１ｍｍの追加的な補正が加えられる。エラー・アキュームレータが備えられていて、補正の積算（“きつい”に対する補正はマイナスで、“緩い”に対する補正はプラスである）が＋２ｍｍまたは−２ｍｍを超えると、さらに０．１ｍｍの補正が追加される。これらは、システムを安定作動させるための２つの積算要素であって、リボン・テンションを公称テンションに、またはそれに近い値に維持する。
【０１１０】
モータ・フィード・システムは、補正を２つのモータに均等に分けて、リボン上で印刷部と印刷部との間に大きな間隔が生じること、あるいは印刷部同士が重なってしまうことを回避する。これを、システムはステップの数を計算することで行なう。当該ステップの数は、最大の実直径のステッパモータについては、補正量の半分が当該ステップ数に達する。これらのステップは、（既知のスプール直径に依拠して）距離として再度計算され、最初の補正量から引算される。この結果得られた値を使用して、より小さな直径のスプールを駆動するモータに対する補正量が計算される。より小さな直径のスプールを駆動するモータは、最小のステップサイズを有する（各ステップをリボン長さに換算した場合）ので、残りの距離を最も正確に送ることができる。このようにして、機構は、最初の補正により要求される量にできるだけ近い補正量によってテンションを調整する。
【０１１１】
上記方法によって極端に低いテンションの読みが計算された場合には、制御システムによってこの事態がコンディション不良であると、例えばリボンが破断したと、またはリボンが極端に緩くなってシステムが殆ど適正に制御できなくなったと、判断されることが好ましい。そのような状況では、制御システムは、所定の下限値を“リボン破損”として出力でき、この結果、テンションｔの測定値がこの下限を下回ったときに、制御システムは、印刷工程を停止し、適当に故障を知らせ、警告メッセージを出力できる。このように、システムは、追加のセンサ構成を必要とせずに、価値ある“リボン破損”の検出を提供できる。
【０１１２】
図１９は、図１８の回路内のスプール９４および９５の直径の比率を計算する回路を示している。電源８０（図１８）の正の電源レール９６が、４つの巻線９７、９８、９９、１００に電流を供給する。電流は、トランジスタ１０１に引かれて巻線９７〜１００を通過する。トランジスタ１０１は、モータ制御部および順序論理回路１０２によって制御される。ステップ速度は、ライン１０３上の入力によって制御される。また、ライン１０４上の入力によって、駆動のオン・オフが制御される（ライン１０４上の入力が高位のときにオンで、入力が低位のときにオフ）。上述したように、モータ９２がプルであれば、当該モータに対する駆動回路１０８がオンとなり、したがって、駆動されているスプール（９４）の回転角度が分かる。プルされている側のモータ（９３）に対する駆動回路はオフとなっている（ライン１０４上の入力が低位である）。このように、モータ９３はジェネレータとして作用し、モータ巻線９７〜１００のそれぞれを通して逆起電力が生じる。図１９のボックス１０８内に収容されているコンポーネントは、図１８中のモータ駆動回路８１および８２の一方に対応する。巻線１００を超えることで増加する電圧はレベルトランスレータ回路１０５に負荷され、当該回路からの出力は、ゼロ交差検出器１０６へ送られる。ゼロ交差検出器１０６の正の入力には基準電圧が供給されている。ゼロ交差検出器１０６からの出力は、ライン１０７上の一連のパルスである。これらのパルスは、図１８中のマイクロ・プロセッサ８９に送られる。駆動モータ９２が既知の角度だけ回転する間、モータ９３からのこれらのパルスをカウントすることで、スプール直径の比率を計算することができる。
【０１１３】
図１８を参照して説明したリボン・テンションのモニタリング方法は、駆動回路８１および８２に供給される電流のサンプリングに依拠している。このサンプリングは、レジスタ８３および８５を超えることで増加する電圧をサンプリングすることで行なわれる。好ましくは、リボンが一定速度で前進している間においてのみ電流が検出される。間欠的な印刷システムにおいては、各印刷操作後におけるプリントヘッドのリターン・ストロークの間に電流がモニタリングされる。プリントヘッドがリターンする間、リボンもまた移動する。したがって、リボンは一定速度まで加速されなければならず、電流がモニタリングされている当該定速の間、前進しなければならず、減速されて、リボンの消費が最小限となるように位置決めされなければならない。間欠的な印刷操作においてこのような方法でリボンを駆動するのは、比較的単純なことである。何故なら、リボンの必然的な移動を、電流をモニタリングすることができる定速移動時間に合わせれば足りるからである。
連続的な印刷装置においては、リボンが基板速度に関連する速度で移動するので、問題は異なる。５０ｍｍ/秒未満のリボン速度は、利用することが困難である。何故なら、インクは、基板にしっかりと定着する前に冷える傾向があり、５０ｍｍ/秒を超える広い範囲の基板速度を実現しなければならないからである。しかしながら、リボンを節約するために、連続する印刷工程と印刷工程との間において、常に一定量のリボンが供給スプールへと戻される。一定速度で十分な時間をもってリターン方向へ移動できるような方法で、リボンが戻されることを確実とする必要があり、それによって、モータ電流が正確に測定できる。このことを実現するために、リボンを“オーバーリターン”させる必要がある。つまり、次の印刷工程の前にリボンを前進させて、このオーバーリターンを補償する。連続的な印刷および間欠的な印刷の両方において、オーバーリターンを利用することで、各印刷工程のテンション測定部分において、十分なリボンを搬送して正確な測定が行なわれることを確実とすることができる。
【０１１４】
例えば、リボンが一定速度で少なくとも１０ｍｍの距離だけ移動している時間中、モータ電流をサンプリングすることが好ましい。例えば、連続するサンプルとサンプルとの間のインターバルをモータの１ステップの１/４に対応させて、電流を規則的なインターバルでサンプリングすることができる。サンプル同士を加算して、その合計値をサンプルの数で割算する。これにより、平均電流が得られる。この平均電流は、関連するステッパモータにより引き出される電力をほぼ正確に表す。
【０１１５】
上記具体例において説明したステッパモータに供給される電流の波形を分析すると、パルス幅変調によるモータ制御において本来的に生じる電流の変動に加えて、波形中に実質的な偏差量が存在することが示される。これが意味することは、各サンプルが、モータにより引き出される電力を表してはいない、ということである。モニタリングされた信号を、平均化する前にローパスフィルタ（図示せず）に通せば、その電力をより正確に表す値を得ることができる。
【０１１６】
図１９は、リボンが消費される間に変化していくスプール直径をモニタリングするための１つのアプローチを示している。しかしながら、別のアプローチも可能であり、そのようなアプローチを図２０を参照して説明する。
【０１１７】
図２０において、Ａｒ、Ａｓは、それぞれ、スプール７および１１の面積である（図１参照）。ｄは、各スプールの内径である。Ｄｒ、Ｄｓは、与えられた時刻における各スプールの外径である。
【０１１８】
したがって、
Ａｒ＋Ａｓ ＝ 一定                          （４）
Ａｒ ＝ （Ｄｒ/２）２ − （ｄ/２）２          （５）
Ａｓ ＝ （Ｄｓ/２）２ − （ｄ/２）２          （６）
式（５）および（６）を式（４）に代入すると、
Ｄｒ２ ＋ Ｄｓ２ ＝ 一定 ＝ Ｄｒｃ２ ＋ Ｄｒｓ２          （７）
【０１１９】
ここで、Ｄｒｃ２および Ｄｒｓ２は、それぞれ、最初のキャリブレーション時における、巻上スプールおよび供給スプールの直径である。
現在の直径比率：  Ｒ ＝Ｄｒ/Ｄｓ
これを変形すると、Ｄｓ ＝ Ｄｒ/Ｒ
また、Ｄｒ ＝ ＲＤｓ
【０１２０】
これらを式（７）に代入すると、
Ｄｒ２ ＝ Ｄｒ２/Ｒ２ ＝ Ｄｒｃ２ ＋ Ｄｓｃ２ ＝ Ｒｃ２Ｄｓｃ２ ＋ Ｄｓｃ２                                            ＝ Ｄｓｃ２（Ｒｃ２ ＋ １）
ここで、Ｒｃは、最初のキャリブレーション時における、供給リール直径に対する巻上リール直径の比率である。
したがって、Ｄｒ２（Ｒ２ ＋ １）/Ｒ２ ＝ Ｄｓｃ２（Ｒｃ２ ＋ １）、であり、
Ｄｒ２ ＝ [Ｒ２/（Ｒ２ ＋ １）][Ｄｓｃ２（Ｒｃ２ ＋ １）]
【０１２１】
したがって、最初のキャリブレーション時におけるスプール直径比（Ｒｃ）、供給スプールの直径比（Ｒｃ）、キャリブレーション時における供給スプールの直径比（Ｄｓｃ）、および現在のスプール直径比（Ｒ）が分かっていれば、一方または両方のスプールの現在の直径ＤｒまたはＤｓを求めることができる。
【０１２２】
幾つかの適用例においては、実質的に空の巻上スプールと、実質的に満載で外径が既知である供給スプールと、保持しているカセットのみを使用することが可能である。そのような場合、初期のスプール直径を測定する必要はない。しかしながら、一般的に、スプール直径を直接測定することが大変好ましい。何故なら、装置の操作者は、少なくともある状況においては、標準的ではないスプール形状のカセット（例えば、以前にリボンの一部が使用されてしまったもの）を使用することが有り得るからである。
【０１２３】
図１８および式（１）〜（３）を参照して上述したアプローチに対する別例として、２つのモータに引き込まれる電流の差に基いて、リボン・テンションの概略値を求めることが可能である。この差電流は、２つのモータ間におけるリボン・テンションの大きさの関数であって、制御パラメータとして使用することが可能である。例えば、電流の差の大きさが許容できる誤差帯域から外れた場合に、前に求めたスプール外径比を調整して、２つのモータの駆動速度を少し変化させる。この速度調整によって、スプール直径比の最新値の補償される。スプール直径が変化すると、電流差の最大値およびその許容誤差範囲も変化する。特定の状況における適切な値は、実験で求めることができ、それらは、電流の最大差のプロファイル・テーブルに記録される。このテーブルは、必要に応じて参照可能である。
【０１２４】
上の説明では、リボン幅について言及していない。リボン幅とは、進行方向に対する直交方向におけるリボン寸法である。リボン幅の値を手作業で入力するという選択肢をユーザに与えることが適切である。これにより、システムは、テープ幅に依存する装置特性を考慮して、所定の許容限度および上述のＰＩＤ制御ゲイン定数を調節できるようになる。例えば、システムは、テンションの測定値ｔ（式（３））に対して異なる目標限界値を選択できるようになる。
【０１２５】
先に議論したように、転写プリンタにおいては、特に高速印刷時に、高品質の印刷を実現するためには、印刷が行なわれる基板を支持するプラテンに対して、プリントヘッドを正確に位置決めする必要がある。説明した本発明の具体例では、プリントヘッドを移動可能なキャリッジ上に配置することで、プリントヘッドの角度を最適化するためのそのような機械的調整を不要としている。
【０１２６】
図２１は、図５に示したローラ３０、プリントヘッドのエッジ３２、およびピールオフ・ローラ３３を示している。線１０９は、隣接するカバープレート２１の端縁を示している。破線１１０は、ローラ３０上のプリントヘッド・エッジ３２に最も近い点における接線を示している（印刷中においては、基板およびプリンタリボンは、エッジ３２とローラ３０との間に位置する）。線１１１は、ローラ３０の回転軸１１２から延びる半径を示している。線１１３は、軸１１２を通って端縁１０９と平行に延びる想像線である。線１１３は、軸１１２を通って延びる基準方向に過ぎない。そこから、角度１１４に対応する半径１１１の回転位置を決定することができる。
【０１２７】
角度１１５は、接線１１０に対するプリントヘッドの傾斜角である。この角度は、印刷の品質に関して重要であって、一般的には、例えば３０°の公称値から１または２°の範囲内となるように製造業者によって決められる。しかしながら、異なるプリントヘッドは異なる特性を示し、角度１１５に対して１または２°の微調整が可能であることが望ましい。
【０１２８】
角度１１５は、第１に、その支持構造上でのプリントヘッドの位置に依存し、第２に、接線１１０の位置に依存する。仮に、プリントヘッドが図２１において右側へと移動したとすると、ローラの回転軸に対するプリントヘッドの角度位置が変化する。角度位置は、角１１４の大きさで表される。角１１４が増加すると、角１１５は減少する。同様に、プリントヘッドが図２１において左側へと移動したとすると、ローラの回転軸に対するプリントヘッドの角度位置を表す角１１４は減少し、角１１５が増加する。この関係により、設置者は、単に印刷中にトラック２２（図２参照）上でのキャリッジ３６の位置を調整することで、プリントヘッド角度を調整することが可能となる。したがって、設置者は、最初は、角度１１４がほぼ９０°である公称位置にプリントヘッドを位置決めする。その後、テスト・プリント・ランを行なって印刷品質を評価し、プリントヘッドをトラックに対して移動させ、次のプリント・ランを行なう。印刷品質が最良となるまで、これを繰り返す。設置者は、プリントヘッドをその支持部上で位置決めするために、機械的調整を行なう必要はない。
【０１２９】
図１３〜図１６を参照して説明した印刷方法によれば、連続する印刷サイクルにおいて、連続する印刷工程と印刷工程との間でプリンタリボンが前進すべき距離を減じることで、印刷速度を高めることが可能となる。図２２は、左手において、印刷された基板の外観を示している。また、図２２は、これと関連させて、１回目、２回目、３回目、４回目の印刷後におけるプリンタリボンのそれぞれの外観を示している。交互に繰り返す各像は、僅かにズレた印刷線から構成されていることが分かる。このズレによって、図１３〜図１６を参照して説明したように、プリントヘッドがリボンの横断方向に移動して、プリンタリボンの幾分オーバーラップした部分から連続的に像を作り出すことが可能になる。一定の基板速度について、プリンタリボンの前進速度、および像再生速度は、２倍とすることが可能である。ここで、“印刷サイクル”という語は、プリントヘッドを最初にプリンタリボンに圧接させ、インクをリボンから転写させて、第１像の生成を開始してから、プリンタリボンを再度プリンタリボンに圧接させて、第２像を生成するためのインクの転写を初期化するまでのインターバルにおいて行なわれる全サイクルを意味する。
連続的な印刷装置に関連した印刷サイクルにおいて、全印刷サイクルは、最初の印刷段階、およびその次の非印刷段階を含む。最初の印刷段階では、プリントヘッドは静止していて、プリンタリボンが搬送される。基板は、プリントヘッドを通過しながら印刷される。その次の非印刷段階においては、基板は、プリントヘッドを通過して搬送され続ける。プリントヘッドがプリンタリボンとの接触状態から引き戻されて、プリンタリボンの搬送方向が逆転される。そして、プリンタリボンは、基板方向へ移動するまで、再度前方へと送られる。その後、次の印刷サイクルの印刷段階が初期化される。
間欠的な印刷装置に関連した印刷サイクルにおいて、印刷サイクルは、基板およびリボンを静止させて（システムがスリップ印刷に依拠しない限り）初期化される。サイクルの印刷段階においては、プリントヘッドは、リボンおよび基板を横切って前進する。その後、プリントヘッドは印刷テープから引き離されて、その初期位置に戻る。そして、基板およびプリンタリボンが前進して、次の印刷サイクルを初期化する準備を行なう。
【０１３０】
このように、各印刷サイクルにおける印刷段階において、静止またはゆっくりと移動するプリンタリボンに対してプリントヘッドが移動した結果として、または、プリントヘッドに対してプリンタリボンが移動した結果として、プリントヘッドは、リボンの所定長さ部分を縦断して移動する。その後、プリンタリボンは、所定距離だけ前進する。この所定距離の大きさは、多くの適用例において、装置全体中での最大速度に対する制限要因となる。知られているプリンタにおいては、一般的に、リボン前進の所定距離は、プリントヘッドにより縦断されるリボンの所定長さと少なくとも同じ長さである。
説明した装置は、リボン前進の所定距離が、リボンがプリントヘッドによって縦断される距離よりも小さくなるように、作動させることが可能である。
【０１３１】
図２２を参照すると、図中左手には、基板上に印刷された４つの連続する像が示されている。各像は同じである。図２２中右手には、オリジナルの像が示されていて、この像が基板上に再現されている。その間の４つの部分は、図２２中の左手に示した４つの像を印刷した後におけるプリンタリボンの外観を示している。間欠的な印刷モードである場合、基板は、連続する印刷サイクルと印刷サイクルとの間のそれぞれにおいて等しい距離だけ前進する。各印刷サイクルにおいて、基板はリボンと同様に静止している。
各印刷サイクルは、最初の印刷段階と、それに続く次の段階とを含んでいる。最初の印刷段階においては、プリントヘッドは、基板に形成される像の長さに対応するリボン長さだけ、プリンタリボンを掃くように縦断する。次の段階では、プリントヘッドは最初の位置に戻り、リボンは、印刷段階においてプリントヘッドに掃かれるリボン長さの半分に相当する距離だけ前進する。
最初の印刷段階においては、プリントヘッドに支持されている印刷要素の半分だけが起動されていて、したがって、基板上に形成される像は、一連の平行線で構成されている。
次の印刷段階では、プリントヘッドは、像の長さに相当する距離だけ、再度テープを掃くように縦断する。しかし、この動作の間、第１の印刷サイクルにおいて起動されていた印刷要素と接触していたテープ部分とは異なるテープ部分と接触するプリントヘッドの印刷要素が起動されている。第２の印刷サイクルの終わりに、プリントヘッドは再び初期位置に戻り、リボンは、基板上に形成される像の長さの半分に相当する距離だけ前進する。
図２２中の左から数えて、第２、第３、第４、および第５の部分は、それぞれ、第１、第２、第３、および第４の印刷サイクルが完了した後における、プリンタリボンの外観を示している。基板上に形成されたすべての像は実質的に同じであり、基板上で連続する像間において唯一異なる点は、１つの像を構成する線が、隣接する他の像を構成する線に対してズレていることだけである。
【０１３２】
図２２に示された出力は、印刷要素が線形アレイに配置されていて、当該アレイ中の奇数の印刷要素が１つのグループに対して割り当てられ、同アレイ中の偶数の印刷要素が他のグループに対して割り当てられてなるプリントヘッドを使用して、作り出されたものである。これにより、各印刷サイクルにおいてリボンが前進する距離が、各サイクルにおいてインクが放出されるリボン長さの僅か半分となるようにして、上記グループが繰り返されることが可能となる。印刷要素は、３つ、４つ、またはそれ以上のグループに配列されることも可能であって、各グループは所定のサイクルにおいて起動される。例えば、３グループ配列の場合であれば、各印刷サイクルにおいてリボンが前進する距離は、各サイクルにおいてプリントヘッドに掃かれるリボン長さの僅か１/３とすることができる。
【０１３３】
間欠的印刷を主体として本発明の態様を詳細に説明したが、同様の技術が連続的な印刷装置に対しても適用可能である。連続的な印刷装置においては、静止したリボンに対してプリントヘッドを移動させるのではなく、静止するヘッドの前でリボンを移動させる結果として、プリンタリボンとプリントヘッドとの相対的な移動が実現される。
【図面の簡単な説明】
【０１３４】
【図１】本発明におけるプリンタリボン・ドライブ・システムの概略図である。
【図１Ａ】図１のドライブ・システムの変形例である。
【図２】図１のリボン・ドライブ・システムにおけるプリンタ・ドライブ・アッセンブリの斜視図である。
【図３】図２のアッセンブリに装着されるプリンタ・リボン・カセットの斜視図である。
【図４】図２のドライブ・アッセンブリを示すさらなる図である。
【図５】図２のドライブ・アッセンブリを示すさらなる図である。
【図６】図２のドライブ・アッセンブリを示すさらなる図である。
【図７】図２のドライブ・アッセンブリを示すさらなる図である。
【図８】図２のドライブ・アッセンブリを示すさらなる図である。
【図９】図２のドライブ・アッセンブリを示すさらなる図である。
【図１０】図２のドライブ・アッセンブリに組み込まれるプリントヘッドを支持するキャリッジの斜視図である。
【図１１】図１０のキャリッジに対する別例を示す斜視図である。このキャリッジは、図２のドライブ・アッセンブリの構成要素の位置を逆にする場合に使用される。
【図１２】図１１の別例に係るキャリッジを使用して構成要素の位置を逆にしたドライブ・アッセンブリを示す図である。
【図１３】図２のドライブ・アッセンブリを使用したインターリーブ方式の印刷を説明する説明図である。
【図１４】図２のドライブ・アッセンブリを使用したインターリーブ方式の印刷を説明する説明図である。
【図１５】図２のドライブ・アッセンブリを使用したインターリーブ方式の印刷を説明する説明図である。
【図１６】図２のドライブ・アッセンブリを使用したインターリーブ方式の印刷を説明する説明図である。
【図１７】プリンタリボンのスプール直径を光学的に測定するシステムを概略的に説明する説明図である。
【図１８】図２のドライブ・アッセンブリに組み込まれたステッパモータの電力消費をモニタリングする回路を概略的に示す説明図である。
【図１９】図２のドライブ・アッセンブリに装着されたリボンスプール間におけるチャージレシオをモニタリングする回路を概略的に示す説明図である。
【図２０】リボンスプールの直径をモニタリングする別のアプローチを示す説明図である。
【図２１】本発明によるプリントヘッドの角度調整を説明する説明図である。
【図２２】本発明の装置を使用すれば、限られたプリンタリボンの前進のみに依拠して像を作り出し得ることを説明する説明図である。
【図１】
0005619693.tif 000002
【図１Ａ】
0005619693.tif 000003
【図２】
0005619693.tif 000004
【図３】
0005619693.tif 000005
【図４】
0005619693.tif 000006
【図５】
0005619693.tif 000007
【図６】
0005619693.tif 000008
【図７】
0005619693.tif 000009
【図８】
0005619693.tif 000010
【図９】
0005619693.tif 000011
【図１０】
0005619693.tif 000012
【図１１】
0005619693.tif 000013
【図１２】
0005619693.tif 000014
【図１３】
0005619693.tif 000015
【図１４】
0005619693.tif 000016
【図１５】
0005619693.tif 000017
【図１６】
0005619693.tif 000018
【図１７】
0005619693.tif 000019
【図１８】
0005619693.tif 000020
【図１９】
0005619693.tif 000021
【図２０】
0005619693.tif 000022
【図２１】
0005619693.tif 000023
【図２２】
0005619693.tif 000024